(57)【特許請求の範囲】
【請求項１】
正のレンズ群と、負のレンズ群と、絞りとを有する結像光学系において、
前記絞りより像面側に前記負のレンズ群が配置され、
前記負のレンズ群が複数のレンズを接合してなる接合レンズを有し、
横軸をＮｄ、及び縦軸をνｄとする直交座標系において、Ｎｄ＝α×νｄ＋β（但し、α＝−０．０１７）で表される直線を設定したときに、
以下の条件式（１）の範囲の下限値であるときの直線、及び上限値であるときの直線で定まる領域と、以下の条件式（２）及び（３）で定まる領域との両方の領域に、前記接合レンズを構成する少なくとも一つのレンズのＮｄ及びνｄが含まれることを特徴とする結像光学系。
１．４５＜β＜２．１５  …（１）
１．５８＜Ｎｄ＜２．２０…（２）
３＜νｄ＜４０          …（３）
ここで、Ｎｄは屈折率、νｄはアッベ数をそれぞれ表す。
【請求項２】
Ｎｄ及びνｄが前記両方の領域に含まれる一つのレンズを所定のレンズとしたとき、該所定のレンズの光軸中心厚が、該接合レンズを構成する他のレンズの光軸中心厚よりも薄いことを特徴とする請求項１に記載の結像光学系。
【請求項３】
次の条件式を満足することを特徴とする請求項２に記載の結像光学系。
０．２２＜ｔ１＜２．０
但し、ｔ１は前記所定のレンズの光軸中心厚である。
【請求項４】
前記接合レンズは、該接合レンズを構成する一つのレンズのレンズ表面に樹脂を密着硬化させてなる複合レンズであることを特徴とする請求項１に記載の結像光学系。
【請求項５】
前記接合レンズは、該接合レンズを構成する一つのレンズのレンズ表面にガラスを密着硬化させてなる複合レンズであることを特徴とする請求項１に記載の結像光学系。
【請求項６】
前記結像光学系は最も物体側が正群であるズームレンズであることを特徴とする請求項１に記載の結像光学系。
【請求項７】
前記結像光学系は最も物体側が負群であるズームレンズであることを特徴とする請求項１に記載の結像光学系。
【請求項８】
前記結像光学系は屈曲のためのプリズムを有することを特徴とする請求項１に記載の結像光学系。
【請求項９】
前記プリズムは最も物体側の群にあることを特徴とする請求項８に記載の結像光学系。
【請求項１０】
請求項１〜９のいずれか一項に記載の結像光学系と、電子撮像素子と、前記結像光学系を通じて結像した像を前記電子撮像素子で撮像することによって得られた画像データを加工して前記像の形状を変化させた画像データとして出力する画像処理手段とを有し、前記結像光学系がズームレンズであり、該ズームレンズが、無限遠物点合焦時に次の条件式を満足することを特徴とする電子撮像装置。
０．７  ＜  ｙ07／（ｆｗ・ｔａｎω07w）  ＜  ０．９６
但し、ｙ07は前記電子撮像素子の有効撮像面内（撮像可能な面内）で中心から最も遠い点までの距離（最大像高）をｙ10としたときｙ07＝０．７ｙ10として表される。また、ω07wは広角端における前記撮像面上の中心からｙ07の位置に結ぶ像点に対応する物点方向の光軸に対する角度である。
【発明の詳細な説明】
【技術分野】
【０００１】
本発明は、極めて小さな撮像モジュールに使用される結像光学系及び、該結像光学系を有する電子撮像装置に関するものである。
【背景技術】
【０００２】
近年、銀塩３５ｍｍフィルムカメラに代わる次世代カメラとして、デジタルカメラが普及してきている。最近では、デジタルカメラはますます小型化・薄型化されてきている。また、同時に普及しつつある携帯電話にまで、カメラ機能（以下、撮像モジュールという）が搭載されてきている。この撮像モジュールを携帯電話に搭載するためには、光学系がデジタルカメラの光学系以上に小型薄型でなくてはならない。特に、ズームレンズにおいては、小型化、薄型化が要求される。しかしながら、現在携帯電話に搭載出来るほどに小型化されたズームレンズはあまり知られていない。
【０００３】
ズームレンズを小型化・薄型化するための代表的な手段としては、次の２つの手段が考えられる。即ち、
Ａ．沈胴式鏡筒を採用して、光学系を筐体の厚み（奥行き）方向に収納する。この沈胴式鏡筒は、撮影時に光学系がカメラ筐体内からせり出し、携帯時にはカメラ筐体内に収納される構造の鏡筒である。
Ｂ．屈曲光学系を採用して、光学系を筐体の幅方向あるいは高さ方向に収納する。この屈曲光学系は、光学系の光路（光軸）を、ミラーやプリズムなど反射光学素子で折り曲げる構成の光学系である。
【０００４】
上記Ａの手段を用いた従来例としては、例えば、次の特許文献１に記載のものが、上記Ｂの手段を用いた従来例としては、例えば、次の特許文献２に記載のものがある。
【０００５】
【特許文献１】特開２００２−３６５５４５号公報
【特許文献２】特開２００３−４３３５４号公報
【発明の開示】
【発明が解決しようとする課題】
【０００６】
しかし、特許文献１に記載の上記Ａの手段を用いた構成では、光学系を構成するレンズの枚数、あるいは移動レンズ群の数がまだまだ多く筐体を小型化・薄型化することは困難である。
【０００７】
また、特許文献２に記載の上記Ｂの手段を用いた構成は、上記Ａの手段を用いた場合よりも、筐体を薄くしやすいが、変倍時の可動レンズ群の移動量や、光学系を構成するレンズの枚数が多くなりがちになる。そのため、体積的には決して小型化には向いていない。
【０００８】
本発明は、上記従来の課題に鑑みてなされたものであり、小型化・薄型化した結像光学系、及び小型化・薄型化及び広角化を可能とすると共に、諸収差が良好に補正された電子撮像装置を提供することを目的とする。
【課題を解決するための手段】
【０００９】
上記目的を達成するため、本発明による結像光学系は、正のレンズ群と、負のレンズ群と、絞りとを有する結像光学系において、前記絞りより像面側に前記負のレンズ群が配置され、前記負のレンズ群が複数のレンズを接合してなる接合レンズを有し、
横軸をＮｄ、及び縦軸をνｄとする直交座標系において、Ｎｄ＝α×νｄ＋β（但し、α＝−０．０１７）で表される直線を設定したときに、
以下の条件式（１）の範囲の下限値であるときの直線、及び上限値であるときの直線で定まる領域と、以下の条件式（２）及び（３）で定まる領域との両方の領域に、前記接合レンズを構成する少なくとも一つのレンズのＮｄ及びνｄが含まれることを特徴とする。
１．４５＜β＜２．１５  …（１）
１．５８＜Ｎｄ＜２．２０…（２）
３＜νｄ＜４０          …（３）
ここで、Ｎｄは屈折率、νｄはアッベ数をそれぞれ表す。
【００１０】
また、Ｎｄ及びνｄが前記両方の領域に含まれる一つのレンズを所定のレンズとしたとき、該所定のレンズの光軸中心厚が、該接合レンズを構成する他のレンズの光軸中心厚よりも薄いことが好ましい。
【００１１】
また、次の条件式を満足することが好ましい。
０．２２＜ｔ１＜２．０
但し、ｔ１は前記所定のレンズの密着硬化された樹脂層の光軸中心厚である。
【００１２】
また、前記接合レンズは、該接合レンズを構成する一つのレンズのレンズ表面に樹脂を密着硬化させてなる複合レンズであることが望ましい。
【００１３】
また、前記接合レンズは、該接合レンズを構成する一つのレンズのレンズ表面にガラスを密着硬化させてなる複合レンズであることが望ましい。
【００１４】
また、前記結像光学系は最も物体側が正群であるズームレンズであることが好ましい。
【００１５】
また、前記結像光学系は最も物体側が負群であるズームレンズであることが好ましい。
【００１６】
また、前記結像光学系は屈曲のためのプリズムを有することが好ましい。
【００１７】
また、前記プリズムは最も物体側の群にあることが好ましい。
【００１８】
また、本発明の電子撮像装置は、上記いずれかの本発明の結像光学系と、電子撮像素子と、前記結像光学系を通じて結像した像を前記電子撮像素子で撮像することによって得られた画像データを加工して前記像の形状を変化させた画像データとして出力する画像処理手段とを有し、前記結像光学系ズームレンズでありが、該ズームレンズが無限遠物点合焦時に次の条件式を満足することを特徴としている。
０．７  ＜  ｙ07／（ｆｗ・ｔａｎω07w）  ＜  ０．９６
但し、ｙ07は前記電子撮像素子の有効撮像面内（撮像可能な面内）で中心から最も遠い点までの距離（最大像高）をｙ10としたとき、ｙ07＝０．７ｙ10として表される。また、ω07wは広角端における前記撮像面上の中心からｙ07の位置に結ぶ像点に対応する物点方向の光軸に対する角度である。
【発明の効果】
【００１９】
本発明によれば、結像光学系の体積の小型化・薄型化をともに達成することが可能となり、さらに、本発明の電子撮像装置にあって諸収差の良好な補正と、広角化との両立が可能となる。
【発明を実施するための最良の形態】
【００２０】
実施例の説明に先立ち、本発明の作用効果について説明する。
本発明の結像光学系は、正のレンズ群と、負のレンズ群と、絞りとを有する結像光学系において、絞りより像面側に負のレンズ群が配置され、負のレンズ群が複数のレンズを接合してなる接合レンズを有することを基本構成としている。
【００２１】
このように、本発明の結像光学系においては、絞りより像面側の負のレンズ群に接合レンズを用いているので、特にズームレンズにおける変倍時の軸上色収差の変動を容易に抑えられる。また、少ないレンズ枚数にてズーム全域に亘り色にじみの発生を十分に抑制することが可能である。通常、絞りよりも像側の負レンズ群の存在は全長を短くするために効果が大きい一方で、光学系を沈胴した際にその厚みが不利に働くことがある。しかし、接合レンズが薄くできるために絞りより像側の負レンズ群は薄く出来、沈胴しての薄くかつ全長の短い光学系にし得る。
【００２２】
そして、横軸をＮｄ、及び縦軸をνｄとする直交座標系において、Ｎｄ＝α×νｄ＋β（但し、α＝−０．０１７）で表される直線を設定したときに、
以下の条件式（１）の範囲の下限値であるときの直線、及び上限値であるときの直線で定まる領域と、以下の条件式（２）及び（３）で定まる領域との両方の領域に、接合レンズを構成する少なくとも一つのレンズのＮｄ及びνｄが含まれることが望ましい。
１．４５＜β＜２．１５  …（１）
１．５８＜Ｎｄ＜２．２０…（２）
３＜νｄ＜４０          …（３）
ここで、Ｎｄは屈折率、νｄはアッベ数をそれぞれ表す。
【００２３】
ここで、硝材とは、ガラス、樹脂等のレンズ材料のことをいう。また、接合レンズとしては、適宜選択されるこれらの硝材からなる複数のレンズを接合したものが用いられる。
【００２４】
条件式（１）の下限値を下回ると、屈折率が低いので空気接触面側に非球面を設けたときの効果が小さく、球面収差、コマ収差、歪曲収差の補正が困難となる。あるいはアッベ数が低いので極めて薄い接合レンズとして色収差の補正が可能だが、空気接触面側を非球面化すると高次の倍率色収差や色コマが発生しやすく、収差補正自由度が減る。
【００２５】
条件式（１）の上限値を上回ると、色収差やペッツバール和の補正レベルは通常の光学ガラスレンズと同等となり本発明の特徴が得られない。
【００２６】
条件式（２）の下限値を下回ると、空気接触面側に非球面を設けたときの効果が小さく、球面収差、コマ収差、歪曲収差の補正が困難となる。
【００２７】
条件式（２）の上限値を上回ると、有機質を含んだ材料の場合、屈折率が高すぎると温度分散が大きくなりすぎ、環境による光学特性が不安定になりやすい。また、反射率が高くなりすぎ、コーティングを最適化してもゴーストが出やすい。
【００２８】
条件式（３）の下限値を下回ると、極めて薄い接合レンズとして色収差の補正が可能だが、空気接触面側を非球面化すると高次の倍率色収差や色コマが発生しやすく、収差補正自由度が減る。
【００２９】
条件式（３）の上限値を上回ると、色収差を補正するために接合レンズの屈折力を強くする必要があり、ペッツバール和の補正には有利であるが、材料の環境による光学特性の影響を受けやすくなる。
【００３０】
なお、次の条件式（１’）を満足すると、より好ましい。
１．４８＜β＜２．０４ …（１’）
さらに、次の条件式（１”）を満足すると、より好ましい。
１．５０＜β＜２．００ …（１”）
なお、次の条件式（２’）を満足すると、より好ましい。
１．６０＜Ｎｄ＜２．１０     …（２’）
さらに、次の条件式（２”）を満足すると、より好ましい。
１．６３＜Ｎｄ＜１．９５          …（２”）
なお、次の条件式（３’）を満足すると、より好ましい。
５＜νｄ＜３０ …（３’）
さらに、次の条件式（３”）を満足すると、より好ましい。
６＜νｄ＜２５ …（３”）
【００３１】
また、接合レンズは、上記両方の領域に含まれるＮｄ及びνｄの値を有するレンズ（以下、所定のレンズと称する。）と他のレンズで構成され、所定のレンズは、その光軸中心厚みが他のレンズの光軸中心厚よりも薄いことが好ましい。このようにすることで、前記上記各収差の更なる良好な補正効果やレンズ群の薄型化が実現できる。
【００３２】
また、接合レンズは、製造精度を向上させる上で、レンズ表面（他のレンズ表面）に樹脂を密着硬化させた複合レンズであるのがよい。ここで、密着硬化させた樹脂が、上記所定のレンズに該当する。
【００３３】
また、接合レンズは、耐光性、耐薬品性等の耐性に有利である上で、レンズ表面（他のレンズ表面）にガラスを密着硬化させた複合レンズであるのがよい。ここで、密着硬化させたガラスが、上記所定のレンズに該当する。
【００３４】
また、接合レンズは、小型かつ安定に成型を行う上で、所定のレンズ（Ｎｄ及びνｄが上記両方の領域に含まれる一つのレンズ）の光軸中心厚ｔ１が、次の条件式(４)を満足するとよい。
０．２２＜ｔ１＜２．０ …（４）
なお、次の条件式(４’)を満足すると、より好ましい。
０．３＜ｔ１＜１．５ …（４’ ）
さらに、次の条件式(４”)を満足すると、より好ましい。
０．３２＜ｔ１＜１．０ …（４” ）
【００３５】
また、結像光学系は、ズームの高倍率化とレンズの明るさ向上向上の観点から、最も物体側が正群であるズームレンズであるのがよい。
【００３６】
また、結像光学系は、小型化上、最も物体側が負群であるズームレンズであるのがよい。
【００３７】
また、結像光学系は、撮影方向に対する光学系の小型化を図る上で、屈曲のためのプリズムを有するのがよい。
【００３８】
また、結像光学系は、更に薄型化を図る上で、プリズムが最も物体側の群にあるのがよい。
【００３９】
ところで、電子撮像素子の画素サイズがある程度以上小さくなると、回折の影響によりナイキスト周波数以上の成分がなくなる。そこで、これを利用すれば、光学ローパスフィルターを省略することができる。これは、光学系全体を極力薄くする点からも好ましい。
そこで、次の条件式(６)を満足するのが好ましい。
Ｆｗ  ≧  ａ（μｍ）                          …（６）
但し、Ｆｗは広角端における解放Ｆ値、ａは電子撮像素子の水平方向の画素間距離（単位：μｍ）である。
条件式(６)を満足すると、光学ローパスフィルターを光路中に配置しなくてよくなる。よって、光学系を小型化できる。
【００４０】
なお、上記条件(６)を満足する場合、画質確保の点から、開口絞りは開放のみとするのが好ましい。これは、この場合の光学系が、開口絞りの径が常に一定の光学系ということである。そして、この場合の光学系では、絞り込みの動作が不要になるため、絞り込み機構を省略できる。よって、その分だけ、小型化が可能になる。なお、条件式(６)を満足しない場合は、光学ローパスフィルターが必要である。
【００４１】
また、条件式(６')を満足すると、より好ましい。
Ｆｗ  ≧  １．２ａ（μｍ）                    …（６’）
さらに、条件式(６”)を満足すると、より一層好ましい。
Ｆｗ  ≧  １．４ａ（μｍ）                    …（６”）
【００４２】
最後に、電子撮像装置について説明する。電子撮像装置としては、奥行きの薄型化と広画角化を両立させたものが好ましい。
ここで、無限遠物体を、歪曲収差がない光学系で結像したとする。この場合、結像した像に歪曲がないので、
ｆ＝ｙ／ｔａｎω
が成立する。
但し、ｙは像点の光軸からの高さ、ｆは結像系の焦点距離、ωは撮像面上の中心からｙの位置に結ぶ像点に対応する物点方向の光軸に対する角度である。
【００４３】
一方、光学系に樽型の歪曲収差がある場合は、
ｆ＞ｙ／ｔａｎω
となる。つまり、ｆとｙとを一定の値とするならば、ωは大きな値となる。
【００４４】
そこで、電子撮像装置には、結像光学系としてズームレンズを用いるのが好ましい。ズームレンズとしては、特に広角端近傍の焦点距離において、意図的に大きな樽型の歪曲収差を有した光学系を用いるのが良い。この場合、歪曲収差を補正しなくて済む分だけ、光学系の広画角化が達成できる。ただし、物体の像は、樽型の歪曲収差を有した状態で電子撮像素子上に結像する。そこで、電子撮像装置では、電子撮像素子で得られた画像データを、画像処理で加工するようにしている。この加工では、樽型の歪曲収差を補正するように、画像データ（画像の形状）を変化させる。このようにすれば、最終的に得られた画像データは、物体とほぼ相似の形状を持つ画像データとなる。よって、この画像データに基づいて、物体の画像をＣＲＴやプリンターに出力すればよい。  
【００４５】
ここで、結像光学系（ズームレンズ）には、ほぼ無限遠物点合焦時に次の条件式(7)を満足するものを採用するのがよい。
０．７  ＜  ｙ07／（ｆｗ・ｔａｎω07w）  ＜  ０．９６  …(7)
但し、ｙ07は電子撮像素子の有効撮像面内（撮像可能な面内）で中心から最も遠い点までの距離（最大像高）をｙ10としたとき、ｙ07＝０．７ｙ10として表される。また、ω07wは広角端における撮像面上の中心からｙ07の位置に結ぶ像点に対応する物点方向の光軸に対する角度である。
【００４６】
上記条件式(7)はズーム広角端における樽型歪曲の度合いを規定したものである。条件式(7)を満足すれば、光学系を肥大化させずに、広い画角の情報を取り込むことが可能となる。なお、樽型に歪んだ像は電子撮像素子にて光電変換されて、樽型に歪んだ画像データとなる。しかしながら、樽型に歪んだ画像データは、電子撮像装置の信号処理系である画像処理手段にて、電気的に、像の形状変化に相当する加工が施される。このようにすれば、最終的に画像処理手段から出力された画像データを表示装置にて再生したとしても、歪曲が補正されて被写体形状にほぼ相似した画像が得られる。
【００４７】
ここで、条件式(7)の上限値を上回る場合であって、特に、１に近い値をとると、歪曲収差が光学的に良く補正されたことに相当する補正を、画像処理手段で行うことができるが、光学系の小型化を維持しながら、広い視野角に亘って像を取り込むことが困難となる。一方、条件式(7)の下限値を下回ると、光学系の歪曲収差による画像歪みを画像処理手段で補正した場合に画角周辺部の放射方向への引き伸ばし率が高くなりすぎる。その結果、画像周辺部の鮮鋭度の劣化が目立つようになってしまう。
【００４８】
一方、条件式(7)を満足することにより、光学系の小型化と広角化（歪曲込みの垂直方向の画角を３８°以上にする）とが可能となる。
【００４９】
なお、次の条件式(7')を満足すると、より好ましい。
０．７５  ＜  ｙ07／（ｆｗ・ｔａｎω07w）  ＜  ０．９４  …(7')
さらに、次の条件式(7”)を満足すると、より一層好ましい。
０．８０  ＜  ｙ07／（ｆｗ・ｔａｎω07w）  ＜  ０．９２  …(7”)
【００５０】
本発明の結像光学系は、以上述べた条件式や構成上の特徴を、個々に、満足あるいは備えることにより、高画素数の電子撮像素子を用いても、結像光学系の体積の小型化・薄型化をともに達成することが可能となると共に、良好な収差補正が実現できる。また、本発明の結像光学系は、上記条件式や構成上の特徴を、組み合わせて備える（満足する）こともできる。この場合、いっそうの小型化・薄型化、あるいは、より良好な収差補正を達成できる。また、本発明の結像光学系を有する電子撮像装置は、結像光学系の体積の小型化・薄型化をともに達成することが可能となり、さらに、諸収差の良好な補正と、広角化との両立が可能となる。
【００５１】
次に本発明の実施例について図面を用いて説明する。
本発明のズームレンズとしては、５群構成または４群構成が考えられる。５群構成のズームレンズでは、物体側から、正屈折力の第１レンズ群、負屈折力の第２レンズ群、正屈折力の第３レンズ群、負屈折力の第４レンズ群、正屈折力の第５レンズ群という順で、各レンズ群を配置することが好ましい。
【００５２】
ここで、第１レンズ群は、負レンズ、プリズム、正レンズを含んで構成することが好ましい。このとき、物体側から、負レンズ、プリズム、正レンズという順で、これらを配置することがより好ましい。なお、１つの負レンズ、１つのプリズム、１つの正レンズのみで第１レンズ群を構成しても良い。
【００５３】
また、第２レンズ群は、正レンズと負レンズを含んで構成することが好ましい。このとき、物体側から、負レンズ、正レンズの順で、これらを配置することがより好ましい。なお、１つの正レンズと１つの負レンズのみで第２レンズ群を構成しても良い。
【００５４】
また、第３レンズ群は、正レンズと負レンズを含んで構成することが好ましい。このとき、正レンズと負レンズで接合レンズを構成し、正レンズが物体側に位置するように接合レンズを配置することがより好ましい。なお、１つの接合レンズのみで第３レンズ群を構成しても良い。この場合、接合レンズは１つの正レンズと１つの負レンズで構成される。
【００５５】
また、第４レンズ群は、正レンズと負レンズを含んで構成することが好ましい。このとき、正レンズと負レンズで接合レンズを構成し、負レンズが物体側に位置するように接合レンズを配置することがより好ましい。あるいは、負レンズで接合レンズを構成し、中心肉厚（心厚）が厚い負レンズが物体側に位置するように接合レンズを配置することがより好ましい。なお、１つの接合レンズのみで第４レンズ群を構成しても良い。この場合、接合レンズは２つの負レンズ、あるいは１つの正レンズと１つの負レンズで構成される。
【００５６】
また、第５レンズ群は、正レンズを含んで構成するのが好ましい。このとき、１つの正レンズのみで第５レンズ群を構成するのがより好ましい。
【００５７】
また、４群構成のズームレンズでは、物体側から順に、負屈折力の第１レンズ群、正屈折力の第２レンズ群、負屈折力の第３レンズ群、正屈折力の第４レンズ群という屈折率配置が好ましい。
【００５８】
ここで、第１レンズ群は、負レンズ、プリズム、接合レンズを含んで構成することが好ましい。このとき、物体側から、負レンズ、プリズム、接合レンズという順で、これらを配置することがより好ましい。また、接合レンズを正レンズと負レンズで構成し、正レンズが物体側に位置するように接合レンズを配置することが好ましい。なお、１つの負レンズ、１つのプリズム、１つの接合レンズのみで第１レンズ群を構成しても良い。この場合、接合レンズは１つの正レンズと１つの負レンズで構成される。
【００５９】
また、第２レンズ群は、正レンズと負レンズを含んで構成することが好ましい。このとき、正レンズと負レンズで接合レンズを構成し、正レンズが物体側に位置するように接合レンズを配置することがより好ましい。なお、１つの接合レンズのみで第２レンズ群を構成しても良い。この場合、接合レンズは１つの正レンズと１つの負レンズで構成される。
【００６０】
また、第３レンズ群は、正レンズと負レンズを含んで構成することが好ましい。このとき、正レンズと負レンズで接合レンズを構成し、負レンズが物体側に位置するように接合レンズを配置することがより好ましい。なお、１つの接合レンズのみで第３レンズ群を構成しても良い。この場合、接合レンズは１つの正レンズと１つの負レンズで構成される。
【００６１】
また、第４レンズ群は、正レンズと負レンズを含んで構成することが好ましい。このとき、正レンズと負レンズで接合レンズを構成し、正レンズが物体側に位置するように接合レンズを配置することがより好ましい。なお、１つの接合レンズのみで第４レンズ群を構成しても良い。この場合、接合レンズは１つの正レンズと１つの負レンズで構成される。
【００６２】
なお、１つのレンズの屈折力を、２つのレンズに分散することができる。よって、上記の各レンズ群において、１つのレンズを２つのレンズに置き換えることもできる。ただし、小型化・薄型化の観点から、２つのレンズに置き換えるレンズの個数は、各レンズ群で1つのみとするのが好ましい。
【実施例１】
【００６３】
図１は本発明の実施例１にかかるズームレンズの広角端における無限遠物点合焦時の光学構成を示す光軸に沿う断面図である。
【００６４】
図２は実施例１にかかるズームレンズの無限遠物点合焦時における球面収差、非点収差、歪曲収差、倍率色収差を示す図であり、(a)は広角端、(b)は中間、(c)は望遠端での状態を示している。
【００６５】
実施例１のズームレンズは、図１に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【００６６】
第１レンズ群Ｇ１は、物体側に凸面を向けた負メニスカスレンズＬ１１１、プリズムＬ１１２、両凸レンズＬ１１３で構成されており、全体で正の屈折力を有している。
【００６７】
第２レンズ群Ｇ２は、両凹レンズＬ１２１と、物体側に凸面を向けた正メニスカスレンズＬ１２２で構成されており、全体で負の屈折力を有している。
【００６８】
第３レンズ群Ｇ３は、両凸レンズＬ１３１と両凹レンズＬ１３２との接合レンズで構成されており、全体で正の屈折力を有している。
【００６９】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【００７０】
第５レンズ群Ｇ５は、両凸レンズＬ１５１で構成されており、全体で正の屈折力を有している。
【００７１】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【００７２】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の両凸レンズＬ１５１の物体側の面に設けられている。
【００７３】
次に、実施例１のズームレンズを構成する光学部材の数値データを示す。
なお、実施例１の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、数値データにおけるｒ及びｄの番号と、光学構成（レンズ面、肉厚、空気間隔）との関係を、図４８に示す。
【００７４】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。なお、円錐係数はｋで示す場合もある。
【００７５】
次に、本実施例の数値データを掲げる。
【００７６】
数値データ１ 
ｒ１＝26.33
d１＝1       Ｎｄ１＝1.8061       νｄ１＝40.92
ｒ２＝10.006
d２＝2.9 
ｒ３＝∞
d３＝12       Ｎｄ３＝1.8061       νｄ３＝40.92
ｒ４＝∞
d４＝0.3 
ｒ５＝26.758 （非球面）
d５＝3.54       Ｎｄ５＝1.741       νｄ５＝52.64
ｒ６＝-28.965
d６＝D6 
ｒ７＝-131.345 （非球面）
d７＝0.8       Ｎｄ７＝1.8061       νｄ７＝40.92
ｒ８＝5.919 （非球面）
d８＝0.7 
ｒ９＝8.064
d９＝2.2       Ｎｄ９＝1.7552       νｄ９＝27.51
ｒ１０＝66.381
d１０＝D10 
ｒ１１＝絞り
d１１＝D11 
ｒ１２＝7.833 （非球面）
d１２＝5.8       Ｎｄ１２＝1.6935       νｄ１２＝53.21
ｒ１３＝-11.499
d１３＝0.7       Ｎｄ１３＝1.84666       νｄ１３＝23.78
ｒ１４＝30.622 （非球面）
d１４＝D14 
ｒ１５＝40.578
d１５＝0.6       Ｎｄ１５＝1.48749       νｄ１５＝70.23
ｒ１６＝10.949
d１６＝0.1       Ｎｄ１６＝1.60687       νｄ１６＝27.03
ｒ１７＝12.043 （非球面）
d１７＝D17 
ｒ１８＝13.800 （非球面）
d１８＝1.8       Ｎｄ１８＝1.7432       νｄ１８＝49.34
ｒ１９＝-43.765
d１９＝D19 
ｒ２０＝∞
d２０＝1.9       Ｎｄ２０＝1.54771       νｄ２０＝62.84
ｒ２１＝∞
d２１＝0.8 
ｒ２２＝∞
d２２＝0.75       Ｎｄ２２＝1.51633       νｄ２２＝64.14
ｒ２３＝∞
d２３＝D23 
【００７７】
非球面係数
第５面
k＝0
A4＝4.05861E-06
A6＝2.45198E-07
A8＝0.00000E+00
第７面
k＝0
A4＝-3.70360E-04
A6＝2.03291E-05
A8＝-5.16020E-07
第８面
k＝0
A4＝-8.18468E-04
A6＝2.71936E-05
A8＝-1.40721E-06
第１２面
k＝0
A4＝1.26362E-04
A6＝1.67158E-06
A8＝5.21583E-08
第１４面
k＝0
A4＝7.68617E-04
A6＝5.97869E-06
A8＝9.78572E-07
第１７面
k＝0
A4＝1.49229E-04
A6＝-4.05344E-06
A8＝0.00000E+00
第１８面
k＝0
A4＝5.20616E-05
A6＝3.84073E-06
A8＝-1.76970E-07
【００７８】
ズームデータ 
Ｄ０（物体から第１面までの距離）が∞のとき 
広角端       中間       望遠端 
焦点距離     6.005       13.699     17.995
ＦＮＯ．     2.85         4.82       5.88
D6           0.8          6.91       8.38
D10          8.97         2.86       1.39
D11         11.32         3.77       1.19
D14          1.71        11.94      14.15
D17          1.32         2.04       3.26
D19          4.76         1.36       0.51
D23          1.36         1.37       1.36
【実施例２】
【００７９】
図３は本発明の実施例２にかかるズームレンズの広角端における無限遠物点合焦時の光学構成を示す光軸に沿う断面図である。
【００８０】
図４は実施例２にかかるズームレンズの無限遠物点合焦時における球面収差、非点収差、歪曲収差、倍率色収差を示す図であり、(a)は広角端、(b)は中間、(c)は望遠端での状態を示している。
【００８１】
実施例２のズームレンズは、図３に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【００８２】
第１レンズ群Ｇ１は、物体側に凸面を向けた負メニスカスレンズＬ１１１、プリズムＬ１１２、両凸レンズＬ１１３で構成されており、全体で正の屈折力を有している。
【００８３】
第２レンズ群Ｇ２は、両凹レンズＬ１２１と、物体側に凸面を向けた正メニスカスレンズＬ１２２で構成されており、全体で負の屈折力を有している。
【００８４】
第３レンズ群Ｇ３は、両凸レンズＬ１３１と両凹レンズＬ１３２との接合レンズで構成されており、全体で正の屈折力を有している。
【００８５】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【００８６】
第５レンズ群Ｇ５は、両凸レンズＬ１５１で構成されており、全体で正の屈折力を有している。
【００８７】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【００８８】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の両凸レンズＬ１５１の物体側の面に設けられている。
【００８９】
次に、本実施例の数値データを掲げる。
数値データ２ 
ｒ１＝30.613
ｄ１＝1       Ｎｄ１＝1.8061      νｄ１＝40.92
ｒ２＝10.004
ｄ２＝2.9 
ｒ３＝∞
ｄ３＝12       Ｎｄ３＝1.8061      νｄ３＝40.92
ｒ４＝∞
ｄ４＝0.3 
ｒ５＝25.367 （非球面）
ｄ５＝3.54       Ｎｄ５＝1.741      νｄ５＝52.64
ｒ６＝-30.821
ｄ６＝D6 
ｒ７＝-139.143 （非球面）
ｄ７＝0.8       Ｎｄ７＝1.8061      νｄ７＝40.92
ｒ８＝6.251 （非球面）
ｄ８＝0.7 
ｒ９＝8.353
ｄ９＝2.2       Ｎｄ９＝1.7552      νｄ９＝27.51
ｒ１０＝89.717
ｄ１０＝D10 
ｒ１１＝絞り
ｄ１１＝D11 
ｒ１２＝8.190 （非球面）
ｄ１２＝5.96       Ｎｄ１２＝1.6935      νｄ１２＝53.21
ｒ１３＝-11.471
ｄ１３＝0.7       Ｎｄ１３＝1.84666      νｄ１３＝23.78
ｒ１４＝27.082 （非球面）
ｄ１４＝D14 
ｒ１５＝30.851
ｄ１５＝0.6       Ｎｄ１５＝1.48749      νｄ１５＝70.23
ｒ１６＝10.858
ｄ１６＝0.1       Ｎｄ１６＝1.60258      νｄ１６＝18.58
ｒ１７＝11.942 （非球面）
ｄ１７＝D17 
ｒ１８＝12.917 （非球面）
ｄ１８＝1.8       Ｎｄ１８＝1.7432      νｄ１８＝49.34
ｒ１９＝-39.589
ｄ１９＝D19 
ｒ２０＝∞
ｄ２０＝1.9       Ｎｄ２０＝1.54771      νｄ２０＝62.84
ｒ２１＝∞
ｄ２１＝0.8 
ｒ２２＝∞
ｄ２２＝0.75       Ｎｄ２２＝1.51633      νｄ２２＝64.14
ｒ２３＝∞
ｄ２３＝D23 
【００９０】
非球面係数
第５面
k＝0
A4＝1.11418E-05
A6＝7.82363E-08
A8＝0
第７面
k＝0
A4＝3.05928E-06
A6＝5.15862E-06
A8＝-1.60243E-07
第８面
k＝0
A4＝-3.11351E-04
A6＝7.68460E-06
A8＝-6.23664E-07
第１２面
k＝0
A4＝8.68188E-05
A6＝3.96805E-06
A8＝-9.06844E-09
第１４面
k＝0
A4＝5.70877E-04
A6＝1.11773E-05
A8＝6.97910E-07
第１７面
k＝0
A4＝2.53040E-04
A6＝-4.57584E-06
A8＝0.00000E+00
第１８面
k＝0
A4＝9.09876E-05
A6＝1.42880E-07
A8＝-2.35059E-08
【００９１】
ズームデータ 
Ｄ０（物体から第１面までの距離）が∞のとき 
広角端       中間       望遠端 
焦点距離     5.998       13.7       17.982
ＦＮＯ．     2.85         4.5        5.64
D6           0.8          9.32      10.33
D10         10.89         2.37       1.36
D11         11.09         4          1.16
D14          1.71        11.67      15.59
D17          2.54         2.18       2.61
D19          4.54         2.03       0.53
D23          1.36         1.36       1.36
【実施例３】
【００９２】
図５は本発明の実施例３にかかるズームレンズの広角端における無限遠物点合焦時の光学構成を示す光軸に沿う断面図である。
【００９３】
図６は実施例３にかかるズームレンズの無限遠物点合焦時における球面収差、非点収差、歪曲収差、倍率色収差を示す図であり、(a)は広角端、(b)は中間、(c)は望遠端での状態を示している。
【００９４】
実施例３のズームレンズは、図５に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【００９５】
第１レンズ群Ｇ１は、物体側に凸面を向けた負メニスカスレンズＬ１１１、プリズムＬ１１２、両凸レンズＬ１１３で構成されており、全体で正の屈折力を有している。
【００９６】
第２レンズ群Ｇ２は、両凹レンズＬ１２１と、物体側に凸面を向けた正メニスカスレンズＬ１２２で構成されており、全体で負の屈折力を有している。
【００９７】
第３レンズ群Ｇ３は、両凸レンズＬ１３１と両凹レンズＬ１３２との接合レンズで構成されており、全体で正の屈折力を有している。
【００９８】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【００９９】
第５レンズ群Ｇ５は、両凸レンズＬ１５１で構成されており、全体で正の屈折力を有している。
【０１００】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１０１】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の両凸レンズＬ１５１の物体側の面に設けられている。
【０１０２】
次に、本実施例の数値データを掲げる。
数値データ３ 
ｒ１＝26.323
ｄ１＝1       Ｎｄ１＝1.8061      νｄ１＝40.92
ｒ２＝10.008
ｄ２＝2.9 
ｒ３＝∞
ｄ３＝12       Ｎｄ３＝1.8061      νｄ３＝40.92
ｒ４＝∞
ｄ４＝0.3 
ｒ５＝26.751 （非球面）
ｄ５＝3.54       Ｎｄ５＝1.741      νｄ５＝52.64
ｒ６＝-28.956
ｄ６＝D6 
ｒ７＝-131.499（非球面）
ｄ７＝0.8       Ｎｄ７＝1.8061      νｄ７＝40.92
ｒ８＝5.919（非球面）
ｄ８＝0.7 
ｒ９＝8.063
ｄ９＝2.2       Ｎｄ９＝1.7552      νｄ９＝27.51
ｒ１０＝66.411
ｄ１０＝D10 
ｒ１１＝絞り
ｄ１１＝D11 
ｒ１２＝7.833 （非球面）
ｄ１２＝5.8       Ｎｄ１２＝1.6935      νｄ１２＝53.21
ｒ１３＝-11.499
ｄ１３＝0.7       Ｎｄ１３＝1.84666      νｄ１３＝23.78
ｒ１４＝30.626（非球面）
ｄ１４＝D14 
ｒ１５＝40.611
ｄ１５＝0.6       Ｎｄ１５＝1.48749      νｄ１５＝70.23
ｒ１６＝10.951
ｄ１６＝0.1       Ｎｄ１６＝1.69556      νｄ１６＝25.02
ｒ１７＝12.040 （非球面）
ｄ１７＝D17 
ｒ１８＝13.804 （非球面）
ｄ１８＝1.8       Ｎｄ１８＝1.7432      νｄ１８＝49.34
ｒ１９＝-43.815
ｄ１９＝D19 
ｒ２０＝∞
ｄ２０＝1.9       Ｎｄ２０＝1.54771      νｄ２０＝62.84
ｒ２１＝∞
ｄ２１＝0.8 
ｒ２２＝∞
ｄ２２＝0.75       Ｎｄ２２＝1.51633      νｄ２２＝64.14
ｒ２３＝∞
ｄ２３＝D23 
【０１０３】
非球面係数
第５面
k＝0
A4＝4.79969E-06
A6＝1.77649E-07
A8＝0
第７面
k＝0
A4＝-3.70126E-04
A6＝2.07943E-05
A8＝-5.46313E-07
第８面
k＝0
A4＝-8.17289E-04
A6＝2.67093E-05
A8＝-1.44560E-06
第１２面
k＝0
A4＝1.26495E-04
A6＝1.60044E-06
A8＝5.40471E-08
第１４面
k＝0
A4＝7.67067E-04
A6＝5.64377E-06
A8＝1.00057E-06
第１７面
k＝0
A4＝1.47554E-04
A6＝-4.25967E-06
A8＝0.00000E+00
第１８面
k＝0
A4＝5.40303E-05
A6＝4.23811E-06
A8＝-1.98225E-07
【０１０４】
ズームデータ 
Ｄ０（物体から第１面までの距離）が∞のとき 
広角端       中間       望遠端 
焦点距離     5.971       13.646     17.936
ＦＮＯ．     2.83         4.8        5.86
D6           0.8          6.91       8.38
D10          8.97         2.86       1.39
D11         11.32         3.77      1.19
D14          1.71        11.94      14.15
D17          1.32         2.04       3.26
D19          4.76         1.36       0.51
D23          1.28         1.3        1.28
【実施例４】
【０１０５】
図７は本発明の実施例４にかかるズームレンズの広角端における無限遠物点合焦時の光学構成を示す光軸に沿う断面図である。
【０１０６】
図８は実施例４にかかるズームレンズの無限遠物点合焦時における球面収差、非点収差、歪曲収差、倍率色収差を示す図であり、(a)は広角端、(b)は中間、(c)は望遠端での状態を示している。
【０１０７】
実施例４のズームレンズは、図７に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１０８】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１０９】
第２レンズ群Ｇ２は、両凹レンズＬ１２１と、物体側に凸面を向けた正メニスカスレンズＬ１２２で構成されており、全体で負の屈折力を有している。
【０１１０】
第３レンズ群Ｇ３は、両凸レンズＬ１３１と両凹レンズＬ１３２との接合レンズで構成されており、全体で正の屈折力を有している。
【０１１１】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【０１１２】
第５レンズ群Ｇ５は、両凸レンズＬ１５１で構成されており、全体で正の屈折力を有している。
【０１１３】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１１４】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の両凸レンズＬ１５１の物体側の面に設けられている。
【０１１５】
次に、本実施例の数値データを掲げる。
数値データ４ 
ｒ１＝32.631
ｄ１＝1       Ｎｄ１＝1.8061      νｄ１＝40.92
ｒ２＝9.985
ｄ２＝2.9 
ｒ３＝∞
ｄ３＝12       Ｎｄ３＝1.8061      νｄ３＝40.92
ｒ４＝∞
ｄ４＝0.3 
ｒ５＝25.505 （非球面）
ｄ５＝3.54       Ｎｄ５＝1.741      νｄ５＝52.64
ｒ６＝-31.527
ｄ６＝D6 
ｒ７＝-151.509 （非球面）
ｄ７＝0.8       Ｎｄ７＝1.8061      νｄ７＝40.92
ｒ８＝6.307（非球面）
ｄ８＝0.7 
ｒ９＝8.373
ｄ９＝2.2       Ｎｄ９＝1.7552      νｄ９＝27.51
ｒ１０＝87.071
ｄ１０＝D10 
ｒ１１＝絞り
ｄ１１＝D11 
ｒ１２＝8.110 （非球面）
ｄ１２＝6.01       Ｎｄ１２＝1.6935      νｄ１２＝53.21
ｒ１３＝-11.313
ｄ１３＝0.7       Ｎｄ１３＝1.84666      νｄ１３＝23.78
ｒ１４＝26.936 （非球面）
ｄ１４＝D14 
ｒ１５＝34.857
ｄ１５＝0.6       Ｎｄ１５＝1.48749      νｄ１５＝70.23
ｒ１６＝11.538
ｄ１６＝0.1       Ｎｄ１６＝1.72568      νｄ１６＝18.68
ｒ１７＝12.691 （非球面）
ｄ１７＝D17 
ｒ１８＝13.654（非球面）
ｄ１８＝1.8       Ｎｄ１８＝1.7432      νｄ１８＝49.34
ｒ１９＝-43.21
ｄ１９＝D19 
ｒ２０＝∞
ｄ２０＝1.9       Ｎｄ２０＝1.54771      νｄ２０＝62.84
ｒ２１＝∞
ｄ２１＝0.8 
ｒ２２＝∞
ｄ２２＝0.75       Ｎｄ２２＝1.51633      νｄ２２＝64.14
ｒ２３＝∞
ｄ２３＝D23 
【０１１６】
非球面係数
第５面
k＝0
A4＝6.81895E-06
A6＝1.57853E-07
A8＝0
第７面
k＝0
A4＝-1.70993E-06
A6＝2.36923E-06
A8＝-8.61161E-08
第８面
k＝0
A4＝-3.29439E-04
A6＝4.30202E-06
A8＝-4.88617E-07
第１２面
k＝0
A4＝8.07503E-05
A6＝3.66307E-06
A8＝-3.68004E-08
第１４面
k＝0
A4＝6.11551E-04
A6＝1.35724E-05
A8＝4.04446E-07
第１７面
k＝0
A4＝1.30946E-05
A6＝-2.52309E-06
A8＝0.00000E+00
第１８面
k＝0
A4＝-7.62235E-06
A6＝-2.71920E-07
A8＝-2.83588E-09
【０１１７】
ズームデータ 
Ｄ０（物体から第１面までの距離）が∞のとき 
広角端       中間       望遠端 
焦点距離     6.02        13.7      17.993
ＦＮＯ．     2.85         4.35       5.45
D6           0.8        10.48      11.56
D10         12.16         2.48       1.4
D11         10.47         4.03       1.19
D14          1.69       11.35      15.31
D17          2.99         2.24       2.67
D19          4.54         2.06       0.5
D23          1.36         1.36       1.36
【実施例５】
【０１１８】
図９は本発明の実施例５にかかるズームレンズの広角端における無限遠物点合焦時の光学構成を示す光軸に沿う断面図である。
【０１１９】
図１０は実施例５にかかるズームレンズの無限遠物点合焦時における球面収差、非点収差、歪曲収差、倍率色収差を示す図であり、(a)は広角端、(b)は中間、(c)は望遠端での状態を示している。
【０１２０】
実施例５のズームレンズは、図９に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１２１】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１２２】
第２レンズ群Ｇ２は、両凹レンズＬ１２１と、物体側に凸面を向けた正メニスカスレンズＬ１２２で構成されており、全体で負の屈折力を有している。
【０１２３】
第３レンズ群Ｇ３は、両凸レンズＬ１３１と両凹レンズＬ１３２との接合レンズで構成されており、全体で正の屈折力を有している。
【０１２４】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【０１２５】
第５レンズ群Ｇ５は、両凸レンズＬ１５１で構成されており、全体で正の屈折力を有している。
【０１２６】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１２７】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の両凸レンズＬ１５１の物体側の面に設けられている。
【０１２８】
次に、本実施例の数値データを掲げる。
数値データ５ 
ｒ１＝34.223
ｄ１＝1       Ｎｄ１＝1.8061      νｄ１＝40.92
ｒ２＝9.992
ｄ２＝2.9 
ｒ３＝∞
ｄ３＝12       Ｎｄ３＝1.8061      νｄ３＝40.92
ｒ４＝∞
ｄ４＝0.3 
ｒ５＝25.219 （非球面）
ｄ５＝3.54       Ｎｄ５＝1.741      νｄ５＝52.64
ｒ６＝-31.093
ｄ６＝D6 
ｒ７＝-171.219 （非球面）
ｄ７＝0.8       Ｎｄ７＝1.8061      νｄ７＝40.92
ｒ８＝6.240 （非球面）
ｄ８＝0.7 
ｒ９＝8.367
ｄ９＝2.2       Ｎｄ９＝1.7552      νｄ９＝27.51
ｒ１０＝94.233
ｄ１０＝D10 
ｒ１１＝絞り
ｄ１１＝D11 
ｒ１２＝8.110 （非球面）
ｄ１２＝6.14       Ｎｄ１２＝1.6935      νｄ１２＝53.21
ｒ１３＝-10.501
ｄ１３＝0.7       Ｎｄ１３＝1.84666      νｄ１３＝23.78
ｒ１４＝27.402 （非球面）
ｄ１４＝D14 
ｒ１５＝35.798
ｄ１５＝0.6       Ｎｄ１５＝1.48749      νｄ１５＝70.23
ｒ１６＝11.909
ｄ１６＝0.1       Ｎｄ１６＝1.852      νｄ１６＝14.02
ｒ１７＝13.099 （非球面）
ｄ１７＝D17 
ｒ１８＝14.223 （非球面）
ｄ１８＝1.8       Ｎｄ１８＝1.7432      νｄ１８＝49.34
ｒ１９＝-42.909
ｄ１９＝D19 
ｒ２０＝∞
ｄ２０＝1.9       Ｎｄ２０＝1.54771      νｄ２０＝62.84
ｒ２１＝∞
ｄ２１＝0.8 
ｒ２２＝∞
ｄ２２＝0.75       Ｎｄ２２＝1.51633      νｄ２２＝64.14
ｒ２３＝∞
ｄ２３＝D23 
【０１２９】
非球面係数
第５面
k＝0
A4＝6.45893E-06
A6＝1.37910E-07
A8＝0
第７面
k＝0
A4＝-2.12805E-06
A6＝1.24854E-06
A8＝-5.50277E-08
第８面
k＝0
A4＝-3.36684E-04
A6＝1.67990E-06
A8＝-4.39469E-07
第１２面
k＝0
A4＝7.11651E-05
A6＝4.18868E-06
A8＝-7.13660E-08
第１４面
k＝0
A4＝5.75134E-04
A6＝1.71545E-05
A8＝1.92117E-07
第１７面
k＝0
A4＝3.19443E-05
A6＝-2.58744E-06
A8＝0.00000E+00
第１８面
k＝0
A4＝-1.27513E-06
A6＝-4.93312E-08
A8＝-9.86622E-09
【０１３０】
ズームデータ 
Ｄ０（物体から第１面までの距離）が∞のとき 
広角端       中間       望遠端 
焦点距離     6.026       13.701     17.994
ＦＮＯ．     2.85         4.22       5.29
D6           0.8         11.11      12.22
D10         12.81         2.5        1.4
D11         10.02         4          1.19
D14          1.7         10.83      14.52
D17          2.97         2.24       2.94
D19          4.47         2.09       0.5
D23          1.36         1.36       1.36
【実施例６】
【０１３１】
図１１は本発明の実施例６にかかるズームレンズの広角端における無限遠物点合焦時の光学構成を示す光軸に沿う断面図である。
【０１３２】
図１２は実施例６にかかるズームレンズの無限遠物点合焦時における球面収差、非点収差、歪曲収差、倍率色収差を示す図であり、(a)は広角端、(b)は中間、(c)は望遠端での状態を示している。
【０１３３】
実施例６のズームレンズは、図１１に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１３４】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１３５】
第２レンズ群Ｇ２は、両凹レンズＬ１２１と、物体側に凸面を向けた正メニスカスレンズＬ１２２で構成されており、全体で負の屈折力を有している。
【０１３６】
第３レンズ群Ｇ３は、両凸レンズＬ１３１と両凹レンズＬ１３２との接合レンズで構成されており、全体で正の屈折力を有している。
【０１３７】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【０１３８】
第５レンズ群Ｇ５は、物体側に凸面を向けた正メニスカスレンズＬ１５１で構成されており、全体で正の屈折力を有している。
【０１３９】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１４０】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の物体側に凸面を向けた正メニスカスレンズＬ１５１の物体側の面に設けられている。
【０１４１】
次に、本実施例の数値データを掲げる。
数値データ６ 
ｒ１＝25.378
ｄ１＝1       Ｎｄ１＝1.8061      νｄ１＝40.92
ｒ２＝9.203
ｄ２＝3.71 
ｒ３＝∞
ｄ３＝12       Ｎｄ３＝1.8061      νｄ３＝40.92
ｒ４＝∞
ｄ４＝0.3 
ｒ５＝47.204 （非球面）
ｄ５＝3.54       Ｎｄ５＝1.741      νｄ５＝52.64
ｒ６＝-22.238
ｄ６＝D6 
ｒ７＝-59.956（非球面）
ｄ７＝0.8       Ｎｄ７＝1.8061      νｄ７＝40.92
ｒ８＝6.912（非球面）
ｄ８＝0.7 
ｒ９＝9.696
ｄ９＝2.2       Ｎｄ９＝1.7552      νｄ９＝27.51
ｒ１０＝218.437
ｄ１０＝D10 
ｒ１１＝絞り
ｄ１１＝D11 
ｒ１２＝7.687 （非球面）
ｄ１２＝6.26       Ｎｄ１２＝1.6935      νｄ１２＝53.21
ｒ１３＝-12.317
ｄ１３＝0.7       Ｎｄ１３＝1.84666      νｄ１３＝23.78
ｒ１４＝29.010（非球面）
ｄ１４＝D14 
ｒ１５＝15.343
ｄ１５＝0.6       Ｎｄ１５＝1.58267      νｄ１５＝46.42
ｒ１６＝7.801
ｄ１６＝0.1       Ｎｄ１６＝1.65228      νｄ１６＝12
ｒ１７＝7.969 （非球面）
ｄ１７＝D17 
ｒ１８＝10.663 （非球面）
ｄ１８＝1.8       Ｎｄ１８＝1.7725      νｄ１８＝49.6
ｒ１９＝182.013
ｄ１９＝D19 
ｒ２０＝∞
ｄ２０＝1.9       Ｎｄ２０＝1.54771      νｄ２０＝62.84
ｒ２１＝∞
ｄ２１＝0.8 
ｒ２２＝∞
ｄ２２＝0.75       Ｎｄ２２＝1.51633      νｄ２２＝64.14
ｒ２３＝∞
ｄ２３＝D23 
【０１４２】
非球面係数
第５面
k＝0
A4＝1.56293E-05
A6＝1.88151E-07
A8＝0
第７面
k＝0
A4＝-3.52622E-04
A6＝1.94506E-05
A8＝-2.27135E-07
第８面
k＝0
A4＝-6.69309E-04
A6＝1.97817E-05
A8＝-2.00038E-07
第１２面
k＝0
A4＝7.43312E-05
A6＝1.49461E-06
A8＝2.68705E-08
第１４面
k＝0
A4＝7.23485E-04
A6＝9.02163E-06
A8＝9.80727E-07
第１７面
k＝0
A4＝6.18056E-06
A6＝2.05787E-06
A8＝0.00000E+00
第１８面
k＝0
A4＝-3.12291E-05
A6＝9.09050E-06
A8＝-1.55608E-07
【０１４３】
ズームデータ 
Ｄ０（物体から第１面までの距離）が∞のとき 
広角端       中間       望遠端 
焦点距離     6.1         13.42      17.995
ＦＮＯ．     3.37         5.23       6.58
D6           3.92        9.22       9.7
D10         12.74        2.46       0.47
D11          6.15         2.51       0.43
D14          1.57       12.09      15.5
D17          1.33         2          3.24
D19          4.75        1.4        0.53
D23          1.37        1.37       1.37
【実施例７】
【０１４４】
図１３は本発明の実施例７にかかるズームレンズの広角端における無限遠物点合焦時の光学構成を示す光軸に沿う断面図である。
【０１４５】
図１４は実施例７にかかるズームレンズの無限遠物点合焦時における球面収差、非点収差、歪曲収差、倍率色収差を示す図であり、(a)は広角端、(b)は中間、(c)は望遠端での状態を示している。
【０１４６】
実施例７のズームレンズは、図１３に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１４７】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１４８】
第２レンズ群Ｇ２は、両凹レンズＬ１２１と、物体側に凸面を向けた正メニスカスレンズＬ１２２で構成されており、全体で負の屈折力を有している。
【０１４９】
第３レンズ群Ｇ３は、両凸レンズＬ１３１と両凹レンズＬ１３２との接合レンズで構成されており、全体で正の屈折力を有している。
【０１５０】
第４レンズ群Ｇ４は、物体側に凸面を向けた負メニスカスレンズＬ１４１と、物体側に凸面を向けた負メニスカスレンズＬ１４２との接合レンズで構成されており、全体で負の屈折力を有している。物体側に凸面を向けた負メニスカスレンズＬ１４２は、心厚の薄いレンズである。
【０１５１】
第５レンズ群Ｇ５は、物体側に凸面を向けた正メニスカスレンズＬ１５１で構成されており、全体で正の屈折力を有している。
【０１５２】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１５３】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた負メニスカスレンズＬ１４２の像側の面、第５レンズ群Ｇ５中の物体側に凸面を向けた正メニスカスレンズＬ１５１の物体側の面に設けられている。
【０１５４】
次に、本実施例の数値データを掲げる。
数値データ７ 
ｒ１＝22.245
d１＝1       Ｎｄ１＝1.8061       νｄ１＝40.92
ｒ２＝8.826
d２＝3.45 
ｒ３＝∞
d３＝12       Ｎｄ３＝1.8061       νｄ３＝40.92
ｒ４＝∞
d４＝0.3 
ｒ５＝36.134（非球面）
d５＝3.54       Ｎｄ５＝1.741       νｄ５＝52.64
ｒ６＝-26.96
d６＝D6 
ｒ７＝-114.807（非球面）
d７＝0.8       Ｎｄ７＝1.8061       νｄ７＝40.92
ｒ８＝6.407 （非球面）
d８＝0.7 
ｒ９＝8.98
d９＝2.2       Ｎｄ９＝1.7552       νｄ９＝27.51
ｒ１０＝126.659
d１０＝D10 
ｒ１１＝絞り
d１１＝D11 
ｒ１２＝7.716 （非球面）
d１２＝6.16       Ｎｄ１２＝1.6935       νｄ１２＝53.21
ｒ１３＝-11.934
d１３＝0.7       Ｎｄ１３＝1.84666       νｄ１３＝23.78
ｒ１４＝29.278 （非球面）
d１４＝D14 
ｒ１５＝11.15
d１５＝0.6       Ｎｄ１５＝1.48749       νｄ１５＝70.23
ｒ１６＝6.803
d１６＝0.1       Ｎｄ１６＝1.59885       νｄ１６＝6.52
ｒ１７＝6.686（非球面）
d１７＝D17 
ｒ１８＝10.149 （非球面）
d１８＝1.8       Ｎｄ１８＝1.7432       νｄ１８＝49.34
ｒ１９＝93.849
d１９＝D19 
ｒ２０＝∞
d２０＝1.9       Ｎｄ２０＝1.54771       νｄ２０＝62.84
ｒ２１＝∞
d２１＝0.8 
ｒ２２＝∞
d２２＝0.75       Ｎｄ２２＝1.51633       νｄ２２＝64.14
ｒ２３＝∞
d２３＝D23 
【０１５５】
非球面係数
第５面
k＝0
A4＝3.04484E-05
A6＝2.47332E-07
A8＝0
第７面
k＝0
A4＝-3.29779E-04
A6＝1.94880E-05
A8＝-2.30770E-07
第８面
k＝0
A4＝-6.90117E-04
A6＝1.82143E-05
A8＝-2.09696E-07
第１２面
k＝0
A4＝7.14236E-05
A6＝1.72782E-06
A8＝2.44480E-08
第１４面
k＝0
A4＝6.86121E-04
A6＝1.02728E-05
A8＝8.39843E-07
第１７面
k＝0
A4＝-8.14853E-05
A6＝6.69357E-07
A8＝0.00000E+00
第１８面
k＝0
A4＝-7.16543E-05
A6＝1.04773E-05
A8＝-1.54753E-07
【０１５６】
ズームデータ 
Ｄ０（物体から第１面までの距離）が∞のとき 
広角端       中間       望遠端 
焦点距離     6.1         13.42      17.995
ＦＮＯ．     3.21         5.1        6.43
D6           2.85        10.17      10.67
D10         10.88         2.65       0.77
D11          6.94         2.58       0.4
D14          1.17        12.06      15.56
D17          1.33         2.02       3.28
D19          4.75         1.39       0.49
D23          1.37         1.37       1.37
【実施例８】
【０１５７】
図１５は本発明の実施例８にかかるズームレンズの広角端における無限遠物点合焦時の光学構成を示す光軸に沿う断面図である。
【０１５８】
図１６は実施例８にかかるズームレンズの無限遠物点合焦時における球面収差、非点収差、歪曲収差、倍率色収差を示す図であり、(a)は広角端、(b)は中間、(c)は望遠端での状態を示している。
【０１５９】
実施例８のズームレンズは、図１５に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１６０】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１６１】
第２レンズ群Ｇ２は、負両凹レンズＬ１２１と、物体側に凸面を向けた正メニスカスレンズＬ１２２で構成されており、全体で負の屈折力を有している。
【０１６２】
第３レンズ群Ｇ３は、両凸レンズＬ１３１と両凹レンズＬ１３２との接合レンズで構成されており、全体で正の屈折力を有している。
【０１６３】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【０１６４】
第５レンズ群Ｇ５は、物体側に凸面を向けた正メニスカスレンズＬ１５１で構成されており、全体で正の屈折力を有している。
【０１６５】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１６６】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の物体側に凸面を向けた正メニスカスレンズＬ１５１の物体側の面に設けられている。
【０１６７】
次に、本実施例の数値データを掲げる。
数値データ８ 
ｒ１＝23.3
d１＝1       Ｎｄ１＝1.8061       νｄ１＝40.92
ｒ２＝8.963
d２＝3.66 
ｒ３＝∞
d３＝12       Ｎｄ３＝1.8061       νｄ３＝40.92
ｒ４＝∞
d４＝0.3 
ｒ５＝43.373 （非球面）
d５＝3.54       Ｎｄ５＝1.741       νｄ５＝52.64
ｒ６＝-23.569
d６＝D6 
ｒ７＝-60.807（非球面）
d７＝0.8       Ｎｄ７＝1.8061       νｄ７＝40.92
ｒ８＝6.844 （非球面）
d８＝0.7 
ｒ９＝9.537
d９＝2.2       Ｎｄ９＝1.7552       νｄ９＝27.51
ｒ１０＝225.725
d１０＝D10 
ｒ１１＝絞り
d１１＝D11 
ｒ１２＝7.662 （非球面）
d１２＝6.34       Ｎｄ１２＝1.6935       νｄ１２＝53.21
ｒ１３＝-11.718
d１３＝0.7       Ｎｄ１３＝1.84666       νｄ１３＝23.78
ｒ１４＝28.761 （非球面）
d１４＝D14 
ｒ１５＝15.01
d１５＝0.6       Ｎｄ１５＝1.48749       νｄ１５＝70.23
ｒ１６＝7.96
d１６＝0.1       Ｎｄ１６＝1.79525       νｄ１６＝9.95
ｒ１７＝7.975 （非球面）
d１７＝D17 
ｒ１８＝11.632 （非球面）
d１８＝1.8       Ｎｄ１８＝1.7432       νｄ１８＝49.34
ｒ１９＝234.357
d１９＝D19 
ｒ２０＝∞
d２０＝1.9       Ｎｄ２０＝1.54771       νｄ２０＝62.84
ｒ２１＝∞
d２１＝0.8 
ｒ２２＝∞
d２２＝0.75       Ｎｄ２２＝1.51633       νｄ２２＝64.14
ｒ２３＝∞
d２３＝D23 
【０１６８】
非球面係数
第５面
k＝0
A4＝2.10592E-05
A6＝2.04017E-07
A8＝0
第７面
k＝0
A4＝-2.74185E-04
A6＝1.68715E-05
A8＝-1.96216E-07
第８面
k＝0
A4＝-5.92738E-04
A6＝1.71764E-05
A8＝-2.01706E-07
第１２面
k＝0
A4＝6.68932E-05
A6＝1.80769E-06
A8＝1.66788E-08
第１４面
k＝0
A4＝7.22351E-04
A6＝1.11715E-05
A8＝9.20361E-07
第１７面
k＝0
A4＝-2.32260E-05
A6＝6.22598E-07
A8＝0.00000E+00
第１８面
k＝0
A4＝-5.31997E-05
A6＝8.76368E-06
A8＝-1.43841E-07
【０１６９】
ズームデータ 
Ｄ０（物体から第１面までの距離）が∞のとき 
広角端       中間       望遠端 
焦点距離     6.1         13.42      17.995
ＦＮＯ．     3.45         5.14       6.51
D6           3.24         9.87      10.77
D10         13.65         2.39       0.92
D11          5.85         3.12       0.4
D14          1.48       11.6       14.74
D17          1.34         2.07       3.37
D19          4.75         1.33       0.4
D23          1.37         1.37       1.37
【実施例９】
【０１７０】
図１７は本発明の実施例９にかかるズームレンズの広角端における無限遠物点合焦時の光学構成を示す光軸に沿う断面図である。
【０１７１】
図１８は実施例９にかかるズームレンズの無限遠物点合焦時における球面収差、非点収差、歪曲収差、倍率色収差を示す図であり、(a)は広角端、(b)は中間、(c)は望遠端での状態を示している。
【０１７２】
実施例９のズームレンズは、図１７に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１７３】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１７４】
第２レンズ群Ｇ２は、両凹レンズＬ１２１と、物体側に凸面を向けた正メニスカスレンズＬ１２２で構成されており、全体で負の屈折力を有している。
【０１７５】
第３レンズ群Ｇ３は、両凸レンズＬ１３１と両凹レンズＬ１３２との接合レンズで構成されており、全体で正の屈折力を有している。
【０１７６】
第４レンズ群Ｇ４は、物体側に凸面を向けた負メニスカスレンズＬ１４１と、物体側に凸面を向けた正メニスカスレンズＬ１４２との接合レンズで構成されており、全体で負の屈折力を有している。物体側に凸面を向けた正メニスカスレンズＬ１４２は、心厚の薄いレンズである。
【０１７７】
第５レンズ群Ｇ５は、両凸レンズＬ１５１で構成されており、全体で正の屈折力を有している。
【０１７８】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１７９】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた正メニスカスレンズＬ１４２の像側の面、第５レンズ群Ｇ５中の両凸レンズＬ１５１の物体側の面に設けられている。
【０１８０】
次に、本実施例の数値データを掲げる。
数値データ９ 
ｒ１＝23.417
d１＝1       Ｎｄ１＝1.8061       νｄ１＝40.92
ｒ２＝8.991
d２＝3.7 
ｒ３＝∞
d３＝12       Ｎｄ３＝1.8061       νｄ３＝40.92
ｒ４＝∞
d４＝0.3 
ｒ５＝42.756 （非球面）
d５＝3.54       Ｎｄ５＝1.741       νｄ５＝52.64
ｒ６＝-23.653
d６＝D6 
ｒ７＝-62.454 （非球面）
d７＝0.8       Ｎｄ７＝1.8061       νｄ７＝40.92
ｒ８＝6.820 （非球面）
d８＝0.7 
ｒ９＝9.53
d９＝2.2       Ｎｄ９＝1.7552       νｄ９＝27.51
ｒ１０＝216.48
d１０＝D10 
ｒ１１＝絞り
d１１＝D11 
ｒ１２＝7.667 （非球面）
d１２＝6.33       Ｎｄ１２＝1.6935       νｄ１２＝53.21
ｒ１３＝-11.715
d１３＝0.7       Ｎｄ１３＝1.84666       νｄ１３＝23.78
ｒ１４＝28.801 （非球面）
d１４＝D14 
ｒ１５＝16.547
d１５＝0.6       Ｎｄ１５＝1.48749       νｄ１５＝70.23
ｒ１６＝8.396
d１６＝0.1       Ｎｄ１６＝1.9712       νｄ１６＝12.88
ｒ１７＝8.453 （非球面）
d１７＝D17 
ｒ１８＝12.298 （非球面）
d１８＝1.8       Ｎｄ１８＝1.7432       νｄ１８＝49.34
ｒ１９＝-1666.051
d１９＝D19 
ｒ２０＝∞
d２０＝1.9       Ｎｄ２０＝1.54771       νｄ２０＝62.84
ｒ２１＝∞
d２１＝0.8 
ｒ２２＝∞
d２２＝0.75       Ｎｄ２２＝1.51633       νｄ２２＝64.14
ｒ２３＝∞
d２３＝D23 
【０１８１】
非球面係数
第５面
k＝0
A4＝1.97863E-05
A6＝1.99130E-07
A8＝0
第７面
k＝0
A4＝-2.76063E-04
A6＝1.66842E-05
A8＝-1.87307E-07
第８面
k＝0
A4＝-6.00048E-04
A6＝1.66821E-05
A8＝-1.83573E-07
第１２面
k＝0
A4＝6.73087E-05
A6＝1.83455E-06
A8＝1.35252E-08
第１４面
k＝0
A4＝7.20573E-04
A6＝1.11057E-05
A8＝9.05706E-07
第１７面
k＝0
A4＝-7.32245E-06
A6＝3.35000E-07
A8＝0.00000E+00
第１８面
k＝0
A4＝-5.22378E-05
A6＝8.59323E-06
A8＝-1.53966E-07
【０１８２】
ズームデータ 
Ｄ０（物体から第１面までの距離）が∞のとき 
広角端       中間       望遠端 
焦点距離     6.1         13.42      17.995
ＦＮＯ．     3.41         5.12       6.49
D6           3.39         9.88      10.83
D10         13.35         2.4        0.93
D11          6.12         3.14       0.4
D14          1.47       11.6       14.69
D17          1.34         2.07       3.38
D19          4.75         1.33       0.4
D23          1.37         1.37       1.37
【実施例１０】
【０１８３】
図１９は本発明の実施例１０にかかるズームレンズの広角端における無限遠物点合焦時の光学構成を示す光軸に沿う断面図である。
【０１８４】
図２０は実施例１０にかかるズームレンズの無限遠物点合焦時における球面収差、非点収差、歪曲収差、倍率色収差を示す図であり、(a)は広角端、(b)は中間、(c)は望遠端での状態を示している。
【０１８５】
実施例１０のズームレンズは、図１９に示すように、物体側より順に、第１レンズ群Ｇ１と、第２レンズ群Ｇ２と、開口絞りＳと、第３レンズ群Ｇ３と、第４レンズ群Ｇ４と、第５レンズ群Ｇ５を有している。なお、図中、ＬＰＦはローパスフィルター、ＣＧはカバーガラス、Ｉは電子撮像素子の撮像面である。
【０１８６】
第１レンズ群Ｇ１は、物体側に凸面を向けた負メニスカスレンズＬ１１１、プリズムＬ１１２、両凸レンズＬ１１３で構成されており、全体で正の屈折力を有している。
【０１８７】
第２レンズ群Ｇ２は、両凹レンズＬ１２１と、物体側に凸面を向けた正メニスカスレンズＬ１２２で構成されており、全体で負の屈折力を有している。
【０１８８】
第３レンズ群Ｇ３は、両凸レンズＬ１３１と両凹レンズＬ１３２との接合レンズで構成されており、全体で正の屈折力を有している。
【０１８９】
第４レンズ群Ｇ４は、物体側に凸面を向けた負メニスカスレンズＬ１４１と、物体側に凸面を向けた負メニスカスレンズＬ１４２との接合レンズで構成されており、全体で負の屈折力を有している。物体側に凸面を向けた負メニスカスレンズＬ１４２は、心厚の薄いレンズである。
【０１９０】
第５レンズ群Ｇ５は、物体側に凸面を向けた正メニスカスレンズＬ１５１で構成されており、全体で正の屈折力を有している。
【０１９１】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は一旦像側へ移動した後に物体側へ移動し、第５レンズ群Ｇ５像側へ移動する。
【０１９２】
非球面は、第１レンズ群Ｇ１中の両凸レンズＬ１１３の物体側の面、第２レンズ群Ｇ２中の両凹レンズＬ１２１の両面、第３レンズ群Ｇ３中の両凸レンズＬ１３１の物体側の面、両凹レンズＬ１３２の像側の面、第４レンズ群Ｇ４中の物体側に凸面を向けた負メニスカスレンズＬ１４２の像側の面、第５レンズ群Ｇ５中の物体側に凸面を向けた正メニスカスレンズＬ１５１の物体側の面に設けられている。
【０１９３】
次に、本実施例の数値データを掲げる。
数値データ１０ 
ｒ１＝23.178
d１＝1       Ｎｄ１＝1.8061       νｄ１＝40.92
ｒ２＝8.968
d２＝3.67 
ｒ３＝∞
d３＝12       Ｎｄ３＝1.8061       νｄ３＝40.92
ｒ４＝∞
d４＝0.3 
ｒ５＝42.366 （非球面）
d５＝3.54       Ｎｄ５＝1.741       νｄ５＝52.64
ｒ６＝-23.47
d６＝D6 
ｒ７＝-66.184 （非球面）
d７＝0.8       Ｎｄ７＝1.8061       νｄ７＝40.92
ｒ８＝6.725（非球面）
d８＝0.7 
ｒ９＝9.362
d９＝2.2       Ｎｄ９＝1.7552       νｄ９＝27.51
ｒ１０＝168.719
d１０＝D10 
ｒ１１＝絞り
d１１＝D11 
ｒ１２＝7.677（非球面）
d１２＝6.32       Ｎｄ１２＝1.6935       νｄ１２＝53.21
ｒ１３＝-11.657
d１３＝0.7       Ｎｄ１３＝1.84666       νｄ１３＝23.78
ｒ１４＝28.815（非球面）
d１４＝D14 
ｒ１５＝16.437
d１５＝0.6       Ｎｄ１５＝1.48749       νｄ１５＝70.23
ｒ１６＝8.459
d１６＝0.1       Ｎｄ１６＝2.0512       νｄ１６＝6.28
ｒ１７＝8.423（非球面）
d１７＝D17 
ｒ１８＝11.783（非球面）
d１８＝1.8       Ｎｄ１８＝1.7432       νｄ１８＝49.34
ｒ１９＝490.283
d１９＝D19 
ｒ２０＝∞
d２０＝1.9       Ｎｄ２０＝1.54771       νｄ２０＝62.84
ｒ２１＝∞
d２１＝0.8 
ｒ２２＝∞
d２２＝0.75       Ｎｄ２２＝1.51633       νｄ２２＝64.14
ｒ２３＝∞
d２３＝D23 
【０１９４】
非球面係数
第５面
k＝0
A4＝1.89496E-05
A6＝1.97953E-07
A8＝0
第７面
k＝0
A4＝-2.76791E-04
A6＝1.68717E-05
A8＝-1.97472E-07
第８面
k＝0
A4＝-6.09891E-04
A6＝1.70615E-05
A8＝-2.17636E-07
第１２面
k＝0
A4＝6.94450E-05
A6＝1.97650E-06
A8＝1.24007E-08
第１４面
k＝0
A4＝7.23654E-04
A6＝1.11472E-05
A8＝9.36169E-07
第１７面
k＝0
A4＝-2.39579E-05
A6＝-3.59629E-09
A8＝0.00000E+00
第１８面
k＝0
A4＝-7.13942E-05
A6＝8.39629E-06
A8＝-1.49327E-07
【０１９５】
ズームデータ 
Ｄ０（物体から第１面までの距離）が∞のとき 
広角端       中間       望遠端 
焦点距離     6.1         13.42      17.994
ＦＮＯ．     3.36         5.08       6.45
D6           3.34         9.92      10.92
D10         12.91         2.49       1.12
D11          6.71         3.27       0.4
D14          1.48        11.56      14.61
D17          1.34         2.06       3.36
D19          4.75         1.34       0.42
D23          1.37         1.37       1.37
【実施例１１】
【０１９６】
図２１は本発明の実施例１１にかかるズームレンズの広角端における無限遠物点合焦時の光学構成を示す光軸に沿う断面図である。
【０１９７】
図２２は実施例１１にかかるズームレンズの無限遠物点合焦時における球面収差、非点収差、歪曲収差、倍率色収差を示す図であり、(a)は広角端、(b)は中間、(c)は望遠端での状態を示している。
【０１９８】
実施例１１のズームレンズは、図２１に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０１９９】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２００】
第２レンズ群Ｇ２は、両凸レンズＬ２２１と像側に凸面を向けた負メニスカスレンズＬ２２２との接合レンズで構成されており、全体で正の屈折力を有している。
【０２０１】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２０２】
第４レンズ群Ｇ４は、両凸レンズＬ２４１と、物体側に凹面を向けた負メニスカスレンズＬ２４２との接合レンズで構成されており、全体で正の屈折力を有している。
【０２０３】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２０４】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２０５】
次に、本実施例の数値データを掲げる。
数値データ１１ 
ｒ１＝53.184
d１＝1.1       Ｎｄ１＝1.7432       νｄ１＝49.34
ｒ２＝11.873
d２＝3 
ｒ３＝∞
d３＝12.5       Ｎｄ３＝1.8061       νｄ３＝40.92
ｒ４＝∞
d４＝0.4 
ｒ５＝59.366 （非球面）
d５＝2.2       Ｎｄ５＝1.883       νｄ５＝40.76
ｒ６＝-20.517
d６＝0.7       Ｎｄ６＝1.48749       νｄ６＝70.23
ｒ７＝13.429
d７＝D7 
ｒ８＝13.703 （非球面）
d８＝3.5       Ｎｄ８＝1.7432       νｄ８＝49.34
ｒ９＝-12.5
d９＝0.7       Ｎｄ９＝1.84666       νｄ９＝23.78
ｒ１０＝-54.992
d１０＝D10 
ｒ１１＝絞り
d１１＝D11 
ｒ１２＝-8.545
d１２＝0.7       Ｎｄ１２＝1.51742       νｄ１２＝52.43
ｒ１３＝-100
d１３＝0.35       Ｎｄ１３＝1.60687       νｄ１３＝27.03
ｒ１４＝-29.442 （非球面）
d１４＝D14 
ｒ１５＝11.068 （非球面）
d１５＝3.5       Ｎｄ１５＝1.6935       νｄ１５＝53.21
ｒ１６＝-7.5
d１６＝0.7       Ｎｄ１６＝1.84666       νｄ１６＝23.78
ｒ１７＝-16.423
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２０６】
非球面係数
第５面
k＝0
A4＝2.67481E-05
A6＝1.21868E-07
A8＝0.00000E+00
第８面
k＝0
A4＝-2.11732E-05
A6＝-1.15590E-07
A8＝-4.21441E-07
第１４面
k＝0
A4＝-3.07942E-04
A6＝2.46538E-06
A8＝-1.28129E-06
第１５面
k＝0
A4＝-2.90469E-04
A6＝3.87680E-07
A8＝5.27383E-08
【０２０７】
ズームデータ 
Ｄ０（物体から第１面までの距離）が∞のとき 
広角端       中間       望遠端 
焦点距離     5.999       13.697     17.987
ＦＮＯ．     2.84         3.39       3.74
D7          13.8          3.92       0.8
D10          1.6         11.49      14.61
D11          1.41         6.01       9.1
D14          6.45         4.93       3
D17          5.45         2.36       1.2
D21          1.36         1.36       1.36
【実施例１２】
【０２０８】
図２３は本発明の実施例１２にかかるズームレンズの広角端における無限遠物点合焦時の光学構成を示す光軸に沿う断面図である。
【０２０９】
図２４は実施例１２にかかるズームレンズの無限遠物点合焦時における球面収差、非点収差、歪曲収差、倍率色収差を示す図であり、(a)は広角端、(b)は中間、(c)は望遠端での状態を示している。
【０２１０】
実施例１２のズームレンズは、図２３に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２１１】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２１２】
第２レンズ群Ｇ２は、両凸レンズＬ２２１と像側に凸面を向けた負メニスカスレンズＬ２２２との接合レンズで構成されており、全体で正の屈折力を有している。
【０２１３】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２１４】
第４レンズ群Ｇ４は、両凸レンズＬ２４１と、物体側に凹面を向けた負メニスカスレンズＬ２４２との接合レンズで構成されており、全体で正の屈折力を有している。
【０２１５】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２１６】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２１７】
次に、本実施例の数値データを掲げる。
数値データ１２ 
ｒ１＝37.87
d１＝1.1       Ｎｄ１＝1.72       νｄ１＝41.98
ｒ２＝10.224
d２＝3 
ｒ３＝∞
d３＝12.5       Ｎｄ３＝1.8061       νｄ３＝40.92
ｒ４＝∞
d４＝0.4 
ｒ５＝89.903 （非球面）
d５＝2.2       Ｎｄ５＝1.883       νｄ５＝40.76
ｒ６＝-14.853
d６＝0.7       Ｎｄ６＝1.48749       νｄ６＝70.23
ｒ７＝14.608
d７＝D7 
ｒ８＝14.897 （非球面）
d８＝3.5       Ｎｄ８＝1.7432       νｄ８＝49.34
ｒ９＝-12.5
d９＝0.7       Ｎｄ９＝1.84666       νｄ９＝23.78
ｒ１０＝-58.416
d１０＝D10 
ｒ１１＝絞り
d１１＝D11 
ｒ１２＝-8.762
d１２＝0.7       Ｎｄ１２＝1.51742       νｄ１２＝52.43
ｒ１３＝-100
d１３＝0.35       Ｎｄ１３＝1.60258       νｄ１３＝18.58
ｒ１４＝-31.451 （非球面）
d１４＝D14 
ｒ１５＝10.327 （非球面）
d１５＝3.5       Ｎｄ１５＝1.6935       νｄ１５＝53.21
ｒ１６＝-7.5
d１６＝0.7       Ｎｄ１６＝1.84666       νｄ１６＝23.78
ｒ１７＝-17.752
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２１８】
非球面係数
第５面
k＝0
A4＝1.56745E-05
A6＝1.40375E-07
A8＝0
第８面
k＝0
A4＝-5.42647E-06
A6＝-8.38801E-08
A8＝0.00000E+00
第１４面
k＝0
A4＝-2.46472E-04
A6＝-2.77422E-07
A8＝0.00000E+00
第１５面
k＝0
A4＝-2.66703E-04
A6＝2.98736E-07
A8＝0.00000E+00
【０２１９】
ズームデータ 
Ｄ０（物体から第１面までの距離）が∞のとき 
広角端       中間       望遠端 
焦点距離     6.02        13.7      17.998
ＦＮＯ．     2.84         3.52       3.89
D7          14.02         3.96       0.8
D10          1.6         11.67      14.82
D11          1.4          7.11      10.07
D14          7.1          4.6        3
D17          5.76         2.55       1.19
D21          1.36         1.36       1.36
【実施例１３】
【０２２０】
図２５は本発明の実施例１３にかかるズームレンズの広角端における無限遠物点合焦時の光学構成を示す光軸に沿う断面図である。
【０２２１】
図２６は実施例１３にかかるズームレンズの無限遠物点合焦時における球面収差、非点収差、歪曲収差、倍率色収差を示す図であり、(a)は広角端、(b)は中間、(c)は望遠端での状態を示している。
【０２２２】
実施例１３のズームレンズは、図２５に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２２３】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２２４】
第２レンズ群Ｇ２は、両凸レンズＬ２２１と像側に凸面を向けた負メニスカスレンズＬ２２２との接合レンズで構成されており、全体で正の屈折力を有している。
【０２２５】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２２６】
第４レンズ群Ｇ４は、両凸レンズＬ２４１と、物体側に凹面を向けた負メニスカスレンズＬ２４２との接合レンズで構成されており、全体で正の屈折力を有している。
【０２２７】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２２８】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２２９】
次に、本実施例の数値データを掲げる。
数値データ１３ 
ｒ１＝53.073
d１＝1.1       Ｎｄ１＝1.7432       νｄ１＝49.34
ｒ２＝11.88
d２＝3 
ｒ３＝∞
d３＝12.5       Ｎｄ３＝1.8061       νｄ３＝40.92
ｒ４＝∞
d４＝0.4 
ｒ５＝59.240 （非球面）
d５＝2.2       Ｎｄ５＝1.883       νｄ５＝40.76
ｒ６＝-20.497
d６＝0.7       Ｎｄ６＝1.48749       νｄ６＝70.23
ｒ７＝13.436
d７＝D7 
ｒ８＝13.696 （非球面）
d８＝3.5       Ｎｄ８＝1.7432       νｄ８＝49.34
ｒ９＝-12.5
d９＝0.7       Ｎｄ９＝1.84666       νｄ９＝23.78
ｒ１０＝-54.875
d１０＝D10 
ｒ１１＝絞り
d１１＝D11 
ｒ１２＝-8.541
d１２＝0.7       Ｎｄ１２＝1.51742       νｄ１２＝52.43
ｒ１３＝-100
d１３＝0.35       Ｎｄ１３＝1.69556       νｄ１３＝25.02
ｒ１４＝-29.479 （非球面）
d１４＝D14 
ｒ１５＝11.078 （非球面）
d１５＝3.5       Ｎｄ１５＝1.6935       νｄ１５＝53.21
ｒ１６＝-7.5
d１６＝0.7       Ｎｄ１６＝1.84666       νｄ１６＝23.78
ｒ１７＝-16.449
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２３０】
非球面係数
第５面
k＝0
A4＝2.61751E-05
A6＝1.15939E-07
A8＝0
第８面
k＝0
A4＝-2.16066E-05
A6＝-9.35544E-08
A8＝0.00000E+00
第１４面
k＝0
A4＝-3.03099E-04
A6＝4.81429E-06
A8＝0.00000E+00
第１５面
k＝0
A4＝-2.89734E-04
A6＝2.36417E-07
A8＝0.00000E+00
【０２３１】
ズームデータ 
Ｄ０（物体から第１面までの距離）が∞のとき 
広角端       中間       望遠端 
焦点距離     5.97        13.634     17.897
ＦＮＯ．     2.82         3.37       3.71
D7          13.8          3.92       0.8
D10          1.6         11.49      14.61
D11          1.41         6.01       9.1
D14          6.45         4.93       3
D17          5.45         2.36      1.2
D21          1.1          1.11       1.12
【実施例１４】
【０２３２】
図２７は本発明の実施例１４にかかるズームレンズの広角端における無限遠物点合焦時の光学構成を示す光軸に沿う断面図である。
【０２３３】
図２８は実施例１４にかかるズームレンズの無限遠物点合焦時における球面収差、非点収差、歪曲収差、倍率色収差を示す図であり、(a)は広角端、(b)は中間、(c)は望遠端での状態を示している。
【０２３４】
実施例１４のズームレンズは、図２７に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２３５】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２３６】
第２レンズ群Ｇ２は、両凸レンズＬ２２１と像側に凸面を向けた負メニスカスレンズＬ２２２との接合レンズで構成されており、全体で正の屈折力を有している。
【０２３７】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２３８】
第４レンズ群Ｇ４は、両凸レンズＬ２４１と、物体側に凹面を向けた負メニスカスレンズＬ２４２との接合レンズで構成されており、全体で正の屈折力を有している。
【０２３９】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２４０】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２４１】
次に、本実施例の数値データを掲げる。
数値データ１４ 
ｒ１＝35.882
d１＝1.1       Ｎｄ１＝1.72       νｄ１＝41.98
ｒ２＝11.389
d２＝3 
ｒ３＝∞
d３＝12.5       Ｎｄ３＝1.8061       νｄ３＝40.92
ｒ４＝∞
d４＝0.4 
ｒ５＝1449.208 （非球面）
d５＝2.2       Ｎｄ５＝1.883       νｄ５＝40.76
ｒ６＝-20.294
d６＝0.7       Ｎｄ６＝1.48749       νｄ６＝70.23
ｒ７＝13.692
d７＝D7 
ｒ８＝13.337 （非球面）
d８＝3.5       Ｎｄ８＝1.7432       νｄ８＝49.34
ｒ９＝-12.5
d９＝0.7       Ｎｄ９＝1.84666       νｄ９＝23.78
ｒ１０＝-35.434
d１０＝D10 
ｒ１１＝絞り
d１１＝D11 
ｒ１２＝-9.636
d１２＝0.7       Ｎｄ１２＝1.51742       νｄ１２＝52.43
ｒ１３＝-100
d１３＝0.35       Ｎｄ１３＝1.72568       νｄ１３＝18.68
ｒ１４＝-47.470（非球面）
d１４＝D14 
ｒ１５＝9.153 （非球面）
d１５＝3.5       Ｎｄ１５＝1.6935       νｄ１５＝53.21
ｒ１６＝-7.5
d１６＝0.7       Ｎｄ１６＝1.84666       νｄ１６＝23.78
ｒ１７＝-27.617
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２４２】
非球面係数
第５面
k＝0
A4＝4.26368E-05
A6＝2.02030E-07
A8＝0
第８面
k＝0
A4＝-4.51766E-05
A6＝-2.67569E-07
A8＝0.00000E+00
第１４面
k＝0
A4＝-2.01076E-04
A6＝2.16748E-06
A8＝0.00000E+00
第１５面
k＝0
A4＝-2.54268E-04
A6＝2.30811E-07
A8＝0.00000E+00
【０２４３】
ズームデータ 
Ｄ０（物体から第１面までの距離）が∞のとき 
広角端       中間       望遠端 
焦点距離      6.115       13.7       17.987
ＦＮＯ．      2.84         3.46       3.75
D7           12.73         4.33       0.8
D10           1.58         9.99      13.51
D11           1.41         6.05      10.08
D14           8.06         6.6        2.98
D17           4.78         1.6        1.19
D21           1.36         1.36       1.36
【実施例１５】
【０２４４】
図２９は本発明の実施例１５にかかるズームレンズの広角端における無限遠物点合焦時の光学構成を示す光軸に沿う断面図である。
【０２４５】
図３０は実施例１５にかかるズームレンズの無限遠物点合焦時における球面収差、非点収差、歪曲収差、倍率色収差を示す図であり、(a)は広角端、(b)は中間、(c)は望遠端での状態を示している。
【０２４６】
実施例１５のズームレンズは、図２９に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２４７】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２４８】
第２レンズ群Ｇ２は、両凸レンズＬ２２１と像側に凸面を向けた負メニスカスレンズＬ２２２との接合レンズで構成されており、全体で正の屈折力を有している。
【０２４９】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２５０】
第４レンズ群Ｇ４は、両凸レンズＬ２４１と、物体側に凹面を向けた負メニスカスレンズＬ２４２との接合レンズで構成されており、全体で正の屈折力を有している。
【０２５１】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２５２】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２５３】
次に、本実施例の数値データを掲げる。
数値データ１５ 
ｒ１＝35.571
d１＝1.1       Ｎｄ１＝1.72       νｄ１＝41.98
ｒ２＝11.248
d２＝3 
ｒ３＝∞
d３＝12.5       Ｎｄ３＝1.8061       νｄ３＝40.92
ｒ４＝∞
d４＝0.4 
ｒ５＝610.441（非球面）
d５＝2.2       Ｎｄ５＝1.883       νｄ５＝40.76
ｒ６＝-20.284
d６＝0.7       Ｎｄ６＝1.48749       νｄ６＝70.23
ｒ７＝14.001
d７＝D7 
ｒ８＝13.614 （非球面）
d８＝3.5       Ｎｄ８＝1.7432       νｄ８＝49.34
ｒ９＝-12.5
d９＝0.7       Ｎｄ９＝1.84666       νｄ９＝23.78
ｒ１０＝-35.933
d１０＝D10 
ｒ１１＝絞り
d１１＝D11 
ｒ１２＝-9.979
d１２＝0.7       Ｎｄ１２＝1.51742       νｄ１２＝52.43
ｒ１３＝-100
d１３＝0.35       Ｎｄ１３＝1.852       νｄ１３＝14.02
ｒ１４＝-57.672 （非球面）
d１４＝D14 
ｒ１５＝9.097（非球面）
d１５＝3.5       Ｎｄ１５＝1.6935       νｄ１５＝53.21
ｒ１６＝-7.5
d１６＝0.7       Ｎｄ１６＝1.84666       νｄ１６＝23.78
ｒ１７＝-27.778
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２５４】
非球面係数
第５面
k＝0
A4＝4.31813E-05
A6＝1.95476E-07
A8＝0
第８面
k＝0
A4＝-4.35637E-05
A6＝-2.46996E-07
A8＝0.00000E+00
第１４面
k＝0
A4＝-1.80555E-04
A6＝2.30560E-06
A8＝0.00000E+00
第１５面
k＝0
A4＝-2.61526E-04
A6＝3.69800E-07
A8＝0.00000E+00
【０２５５】
ズームデータ 
Ｄ０（物体から第１面までの距離）が∞のとき 
広角端       中間       望遠端 
焦点距離     6.108       13.7       17.989
ＦＮＯ．     2.84         3.49       3.76
D7          12.89         4.45       0.81
D10          1.58        10.03      13.67
D11          1.41         6.36      10.13
D14          8.02         6.38       2.98
D17          4.88         1.58       1.2
D21          1.36         1.36       1.36
【実施例１６】
【０２５６】
図３１は本発明の実施例１６にかかるズームレンズの広角端における無限遠物点合焦時の光学構成を示す光軸に沿う断面図である。
【０２５７】
図３２は実施例１６にかかるズームレンズの無限遠物点合焦時における球面収差、非点収差、歪曲収差、倍率色収差を示す図であり、(a)は広角端、(b)は中間、(c)は望遠端での状態を示している。
【０２５８】
実施例１６のズームレンズは、図３１に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２５９】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２６０】
第２レンズ群Ｇ２は、両凸レンズＬ２２１と像側に凸面を向けた負メニスカスレンズＬ２２２との接合レンズで構成されており、全体で正の屈折力を有している。
【０２６１】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２６２】
第４レンズ群Ｇ４は、両凸レンズＬ２４１と、物体側に凹面を向けた負メニスカスレンズＬ２４２との接合レンズで構成されており、全体で正の屈折力を有している。
【０２６３】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２６４】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２６５】
次に、本実施例の数値データを掲げる。
数値データ１６ 
ｒ１＝38.891
d１＝1.1       Ｎｄ１＝1.7432       νｄ１＝49.34
ｒ２＝9.835
d２＝3 
ｒ３＝∞
d３＝12.5       Ｎｄ３＝1.8061       νｄ３＝40.92
ｒ４＝∞
d４＝0.4 
ｒ５＝60.054 （非球面）
d５＝2.2       Ｎｄ５＝1.883       νｄ５＝40.76
ｒ６＝-24.469
d６＝0.7       Ｎｄ６＝1.48749       νｄ６＝70.23
ｒ７＝12.862
d７＝D7 
ｒ８＝15.353 （非球面）
d８＝3.5       Ｎｄ８＝1.7432       νｄ８＝49.34
ｒ９＝-12.5
d９＝0.7       Ｎｄ９＝1.84666       νｄ９＝23.78
ｒ１０＝-39.902
d１０＝D10 
ｒ１１＝絞り
d１１＝D11 
ｒ１２＝-9.98
d１２＝0.7       Ｎｄ１２＝1.51729       νｄ１２＝65.94
ｒ１３＝-100
d１３＝0.35       Ｎｄ１３＝1.65228       νｄ１３＝12.75
ｒ１４＝-48.119 （非球面）
d１４＝D14 
ｒ１５＝11.111 （非球面）
d１５＝3.5       Ｎｄ１５＝1.6935       νｄ１５＝53.21
ｒ１６＝-7.5
d１６＝0.7       Ｎｄ１６＝1.84666       νｄ１６＝23.78
ｒ１７＝-22.56
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２６６】
非球面係数
第５面
k＝0
A4＝7.13925E-05
A6＝1.71754E-07
A8＝0
第８面
k＝0
A4＝-3.78743E-05
A6＝-1.60871E-07
A8＝0.00000E+00
第１４面
k＝0
A4＝-4.07707E-04
A6＝2.30478E-06
A8＝0.00000E+00
第１５面
k＝0
A4＝-3.45182E-04
A6＝2.31185E-06
A8＝0.00000E+00
【０２６７】
ズームデータ 
Ｄ０（物体から第１面までの距離）が∞のとき 
広角端       中間       望遠端 
焦点距離     6.101       10.553     17.994
ＦＮＯ．     3.06         3.65       5.17
D7          17.7          5.59       1.05
D10          5.85         9.39      13.35
D11          0.65         4.63      15.8
D14          5.72         3.86       2.69
D17          5.77         6.71       5.32
D21          1.36         1.36       1.36
【実施例１７】
【０２６８】
図３３は本発明の実施例１７にかかるズームレンズの広角端における無限遠物点合焦時の光学構成を示す光軸に沿う断面図である。
【０２６９】
図３４は実施例１７にかかるズームレンズの無限遠物点合焦時における球面収差、非点収差、歪曲収差、倍率色収差を示す図であり、(a)は広角端、(b)は中間、(c)は望遠端での状態を示している。
【０２７０】
実施例１７のズームレンズは、図３３に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２７１】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２７２】
第２レンズ群Ｇ２は、両凸レンズＬ２２１と像側に面を向けた負メニスカスレンズＬ２２２との接合レンズで構成されており、全体で正の屈折力を有している。
【０２７３】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２７４】
第４レンズ群Ｇ４は、両凸レンズＬ２４１と、物体側に凹面を向けた負メニスカスレンズＬ２４２との接合レンズで構成されており、全体で正の屈折力を有している。
【０２７５】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２７６】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２７７】
次に、本実施例の数値データを掲げる。
数値データ１７ 
ｒ１＝57.868
d１＝1.1       Ｎｄ１＝1.7432       νｄ１＝49.34
ｒ２＝11.248
d２＝3.05 
ｒ３＝∞
d３＝12.5       Ｎｄ３＝1.8061       νｄ３＝40.92
ｒ４＝∞
d４＝0.4 
ｒ５＝51.247 （非球面）
d５＝3.42       Ｎｄ５＝1.883       νｄ５＝40.76
ｒ６＝-24.561
d６＝0.9       Ｎｄ６＝1.48749       νｄ６＝70.23
ｒ７＝12.542
d７＝D7 
ｒ８＝14.337 （非球面）
d８＝7.69       Ｎｄ８＝1.7432       νｄ８＝49.34
ｒ９＝-12.5
d９＝3.98       Ｎｄ９＝1.84666       νｄ９＝23.78
ｒ１０＝-50.883
d１０＝D10 
ｒ１１＝絞り
d１１＝D11 
ｒ１２＝-10.713
d１２＝0.9       Ｎｄ１２＝1.52852       νｄ１２＝58.86
ｒ１３＝-100
d１３＝0.35       Ｎｄ１３＝1.59885       νｄ１３＝6.52
ｒ１４＝-63.005 （非球面）
d１４＝D14 
ｒ１５＝9.560 （非球面）
d１５＝4.34       Ｎｄ１５＝1.71237       νｄ１５＝44.16
ｒ１６＝-7.5
d１６＝3.5       Ｎｄ１６＝1.81657       νｄ１６＝21.77
ｒ１７＝-48.273
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２７８】
非球面係数
第５面
k＝0
A4＝6.06374E-05
A6＝2.96748E-08
A8＝0
第８面
k＝0
A4＝-3.79953E-05
A6＝-9.01187E-08
A8＝0.00000E+00
第１４面
k＝0
A4＝-4.27739E-04
A6＝3.55154E-06
A8＝0.00000E+00
第１５面
k＝0
A4＝-3.08817E-04
A6＝1.61244E-06
A8＝0.00000E+00
【０２７９】
ズームデータ 
Ｄ０（物体から第１面までの距離）が∞のとき 
広角端       中間       望遠端 
焦点距離     6.101       10.555     17.998
ＦＮＯ．     3.24         3.5        4.82
D7          18.49         5.99       1.21
D10          0.91         7.03      11.89
D11          0.61         2.38      11.94
D14          6.75         5.1        4.34
D17          4.75         5.22       3.4
D21          1.36         1.36       1.36
【実施例１８】
【０２８０】
図３５は本発明の実施例１８にかかるズームレンズの広角端における無限遠物点合焦時の光学構成を示す光軸に沿う断面図である。
【０２８１】
図３６は実施例１８にかかるズームレンズの無限遠物点合焦時における球面収差、非点収差、歪曲収差、倍率色収差を示す図であり、(a)は広角端、(b)は中間、(c)は望遠端での状態を示している。
【０２８２】
実施例１８のズームレンズは、図３５に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２８３】
第１レンズ群Ｇ１は、物体面に凸側を向けた負メニスカスレンズＬ２１１、プリズムＬ２１２、両凸レンズＬ２１３と両凹レンズＬ２１４との接合レンズで構成されており、全体で負の屈折力を有している。
【０２８４】
第２レンズ群Ｇ２は、両凸レンズＬ２２１と像側に凸面を向けた負メニスカスレンズＬ２２２との接合レンズで構成されており、全体で正の屈折力を有している。
【０２８５】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２８６】
第４レンズ群Ｇ４は、両凸レンズＬ２４１と、物体側に凹面を向けた負メニスカスレンズＬ２４２との接合レンズで構成されており、全体で正の屈折力を有している。
【０２８７】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０２８８】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０２８９】
次に、本実施例の数値データを掲げる。
数値データ１８ 
ｒ１＝62.959
d１＝1.1       Ｎｄ１＝1.7432       νｄ１＝49.34
ｒ２＝11.433
d２＝2.98 
ｒ３＝∞
d３＝12.5       Ｎｄ３＝1.8061       νｄ３＝40.92
ｒ４＝∞
d４＝0.4 
ｒ５＝50.756（非球面）
d５＝2.79       Ｎｄ５＝1.883       νｄ５＝40.76
ｒ６＝-24.668
d６＝0.9       Ｎｄ６＝1.48749       νｄ６＝70.23
ｒ７＝12.505
d７＝D7 
ｒ８＝14.492（非球面）
d８＝7.39       Ｎｄ８＝1.7432       νｄ８＝49.34
ｒ９＝-12.5
d９＝5.86       Ｎｄ９＝1.84666       νｄ９＝23.78
ｒ１０＝-48.836
d１０＝D10 
ｒ１１＝絞り
d１１＝D11 
ｒ１２＝-9.553
d１２＝0.9       Ｎｄ１２＝1.53585       νｄ１２＝55.13
ｒ１３＝-100
d１３＝0.35       Ｎｄ１３＝1.79525       νｄ１３＝9.95
ｒ１４＝-44.152 （非球面）
d１４＝D14 
ｒ１５＝9.226 （非球面）
d１５＝4.3       Ｎｄ１５＝1.70794       νｄ１５＝47.46
ｒ１６＝-7.5
d１６＝3.48       Ｎｄ１６＝1.82618       νｄ１６＝21.48
ｒ１７＝-49.212
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０２９０】
非球面係数
第５面
k＝0
A4＝6.09647E-05
A6＝1.57459E-08
A8＝0
第８面
k＝0
A4＝-3.80323E-05
A6＝-6.55996E-08
A8＝0.00000E+00
第１４面
k＝0
A4＝-4.26592E-04
A6＝4.19255E-06
A8＝0.00000E+00
第１５面
k＝0
A4＝-3.87754E-04
A6＝2.28630E-06
A8＝0.00000E+00
【０２９１】
ズームデータ 
Ｄ０（物体から第１面までの距離）が∞のとき 
広角端       中間       望遠端 
焦点距離     6.1       10.553       17.995
ＦＮＯ．     3.19       3.47         4.77
D7          18.27       5.85         1.19
D10          0.7        6.91        12.07
D11          0.64       2.49        12.19
D14          5.78       4.42         3.89
D17          4.69       5.18         3.29
D21          1.36       1.36         1.36
【実施例１９】
【０２９２】
図３７は本発明の実施例１９にかかるズームレンズの広角端における無限遠物点合焦時の光学構成を示す光軸に沿う断面図である。
【０２９３】
図３８は実施例１９にかかるズームレンズの無限遠物点合焦時における球面収差、非点収差、歪曲収差、倍率色収差を示す図であり、(a)は広角端、(b)は中間、(c)は望遠端での状態を示している。
【０２９４】
実施例１９のズームレンズは、図３７に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０２９５】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０２９６】
第２レンズ群Ｇ２は、両凸レンズＬ２２１と像側に凸面を向けた負メニスカスレンズＬ２２２との接合レンズで構成されており、全体で正の屈折力を有している。
【０２９７】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０２９８】
第４レンズ群Ｇ４は、両凸レンズＬ２４１と、物体側に凹面を向けた負メニスカスレンズＬ２４２との接合レンズで構成されており、全体で正の屈折力を有している。
【０２９９】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０３００】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０３０１】
次に、本実施例の数値データを掲げる。
数値データ１９ 
ｒ１＝68.079
d１＝1.1       Ｎｄ１＝1.7432       νｄ１＝49.34
ｒ２＝11.633
d２＝2.99 
ｒ３＝∞
d３＝12.5       Ｎｄ３＝1.8061       νｄ３＝40.92
ｒ４＝∞
d４＝0.4 
ｒ５＝50.301（非球面）
d５＝2.33       Ｎｄ５＝1.883       νｄ５＝40.76
ｒ６＝-24.516
d６＝0.9       Ｎｄ６＝1.48749       νｄ６＝70.23
ｒ７＝12.478
d７＝D7 
ｒ８＝14.504 （非球面）
d８＝7.39       Ｎｄ８＝1.7432       νｄ８＝49.34
ｒ９＝-12.5
d９＝6.85       Ｎｄ９＝1.84666       νｄ９＝23.78
ｒ１０＝-48.451
d１０＝D10 
ｒ１１＝絞り
d１１＝D11 
ｒ１２＝-8.927
d１２＝0.9       Ｎｄ１２＝1.53859       νｄ１２＝53.87
ｒ１３＝-100
d１３＝0.35       Ｎｄ１３＝1.9712       νｄ１３＝12.88
ｒ１４＝-38.346 （非球面）
d１４＝D14 
ｒ１５＝8.915（非球面）
d１５＝4.15       Ｎｄ１５＝1.70159       νｄ１５＝48.9
ｒ１６＝-7.5
d１６＝3       Ｎｄ１６＝1.8402       νｄ１６＝21.32
ｒ１７＝-47.582
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０３０２】
非球面係数
第５面
k＝0
A4＝5.92982E-05
A6＝5.24010E-09
A8＝0
第８面
k＝0
A4＝-3.76559E-05
A6＝-4.70537E-08
A8＝0.00000E+00
第１４面
k＝0
A4＝-4.04099E-04
A6＝4.26752E-06
A8＝0.00000E+00
第１５面
k＝0
A4＝-4.50778E-04
A6＝2.93020E-06
A8＝0.00000E+00
【０３０３】
ズームデータ 
Ｄ０（物体から第１面までの距離）が∞のとき 
広角端       中間       望遠端 
焦点距離     6.1         10.553     17.997
ＦＮＯ．     3.12         3.41       4.64
D7          17.78         5.7        1.23
D10          0.56         6.93      12.47
D11          0.67         2.77      12.22
D14          5.2          3.94       3.41
D17          4.67         4.99       2.88
D21          1.36         1.36       1.36
【実施例２０】
【０３０４】
図３９は本発明の実施例２０にかかるズームレンズの広角端における無限遠物点合焦時の光学構成を示す光軸に沿う断面図である。
【０３０５】
図４０は実施例２０にかかるズームレンズの無限遠物点合焦時における球面収差、非点収差、歪曲収差、倍率色収差を示す図であり、(a)は広角端、(b)は中間、(c)は望遠端での状態を示している。
【０３０６】
実施例２０のズームレンズは、図３９に示すように、物体側より順に、第１レンズ群Ｇ１と、第２レンズ群Ｇ２と、開口絞りＳと、第３レンズ群Ｇ３と、第４レンズ群Ｇ４を有している。なお、図中、ＬＰＦはローパスフィルター、ＣＧはカバーガラス、Ｉは電子撮像素子の撮像面である。
【０３０７】
第１レンズ群Ｇ１は、物体側に凸面を向けた負メニスカスレンズＬ２１１、プリズムＬ２１２、両凸レンズＬ２１３と両凹レンズＬ２１４との接合レンズで構成されており、全体で負の屈折力を有している。
【０３０８】
第２レンズ群Ｇ２は、両凸レンズＬ２２１と像側に凸面を向けた負メニスカスレンズＬ２２２との接合レンズで構成されており、全体で正の屈折力を有している。
【０３０９】
第３レンズ群Ｇ３は、物体側に凹面を向けた負メニスカスレンズＬ２３１と物体側に凹面を向けた正メニスカスレンズＬ２３２との接合レンズで構成されており、全体で負の屈折力を有している。物体側に凹面を向けた正メニスカスレンズＬ２３２は、心厚の薄いレンズである。
【０３１０】
第４レンズ群Ｇ４は、両凸レンズＬ２４１と、物体側に凹面を向けた負メニスカスレンズＬ２４２との接合レンズで構成されており、全体で正の屈折力を有している。
【０３１１】
広角端から望遠端へと変倍する際には、第１レンズ群Ｇ１は固定、第２レンズ群Ｇ２は物体側へ移動し、開口絞りＳは固定、第３レンズ群Ｇ３は像側へ移動し、第４レンズ群Ｇ４は像側へ移動する。
【０３１２】
非球面は、第１レンズ群Ｇ１中の両凸レンズＬ２１３の物体側の面、第２レンズ群Ｇ２中の両凸レンズＬ２２１の物体側の面、第３レンズ群Ｇ３中の物体側に凹面を向けた正メニスカスレンズＬ２３２の像側の面、第４レンズ群Ｇ４中の両凸レンズＬ２４１の物体側の面に設けられている。
【０３１３】
次に、本実施例の数値データを掲げる。
数値データ２０ 
ｒ１＝63.79
d１＝1.1       Ｎｄ１＝1.7432       νｄ１＝49.34
ｒ２＝11.649
d２＝3.06 
ｒ３＝∞
d３＝12.5       Ｎｄ３＝1.8061       νｄ３＝40.92
ｒ４＝∞
d４＝0.4 
ｒ５＝46.980（非球面）
d５＝3.3       Ｎｄ５＝1.883       νｄ５＝40.76
ｒ６＝-25.318
d６＝0.9       Ｎｄ６＝1.48749       νｄ６＝70.23
ｒ７＝12.314
d７＝D7 
ｒ８＝14.146（非球面）
d８＝7.85       Ｎｄ８＝1.7432       νｄ８＝49.34
ｒ９＝-12.5
d９＝4.47       Ｎｄ９＝1.84666       νｄ９＝23.78
ｒ１０＝-53.448
d１０＝D10 
ｒ１１＝絞り
d１１＝D11 
ｒ１２＝-9.716
d１２＝0.9       Ｎｄ１２＝1.53062       νｄ１２＝57.73
ｒ１３＝-100
d１３＝0.35       Ｎｄ１３＝2.0512       νｄ１３＝6.28
ｒ１４＝-76.868 （非球面）
d１４＝D14 
ｒ１５＝8.784（非球面）
d１５＝4.06       Ｎｄ１５＝1.70975       νｄ１５＝45.62
ｒ１６＝-7.5
d１６＝3.07       Ｎｄ１６＝1.82469       νｄ１６＝21.99
ｒ１７＝-41.356
d１７＝D17 
ｒ１８＝∞
d１８＝1.44       Ｎｄ１８＝1.54771       νｄ１８＝62.84
ｒ１９＝∞
d１９＝0.8 
ｒ２０＝∞
d２０＝0.6       Ｎｄ２０＝1.51633       νｄ２０＝64.14
ｒ２１＝∞
d２１＝D21 
【０３１４】
非球面係数
第５面
k＝0
A4＝5.85091E-05
A6＝1.63330E-08
A8＝0
第８面
k＝0
A4＝-3.75473E-05
A6＝-8.44888E-08
A8＝0.00000E+00
第１４面
k＝0
A4＝-2.99314E-04
A6＝3.36694E-06
A8＝0.00000E+00
第１５面
k＝0
A4＝-3.61178E-04
A6＝1.58918E-06
A8＝0.00000E+00
【０３１５】
ズームデータ 
Ｄ０（物体から第１面までの距離）が∞のとき 
広角端       中間       望遠端 
焦点距離     6.099       10.552     17.993
ＦＮＯ．     3.03         3.33       4.5
D7          17.47         5.63       1.2
D10          1.14         7.24      12.69
D11          0.62         2.75      11.06
D14          6.52         5.15       4.63
D17          4.84         5.06       3.15
D21          1.36         1.36       1.36
【実施例２１】
【０３１６】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０３１７】
図４１〜図４３に本発明による結像光学系をデジタルカメラの撮影光学系４１に組み込んだ構成の概念図を示す。図４１はデジタルカメラ４０の外観を示す前方斜視図、図４２は同後方斜視図、図４３はデジタルカメラ４０の光学構成を示す断面図である。
【０３１８】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズを通して撮影が行われる。
【０３１９】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フロッピー（登録商標）ディスクやメモリーカード、ＭＯ等により電子的に記録書込を行うように構成してもよい。
【０３２０】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポリプリズム５５の後方には、正立正像にされた像を観察者眼球Eに導く接眼光学系５９が配置されている。
【０３２１】
このように構成されたデジタルカメラ４０によれば、撮影光学系４１の構成枚数を少なくした小型化・薄型化のズームレンズを有する電子撮像装置が実現できる。
【０３２２】
次に、本発明の結像光学系が対物光学系として内蔵された情報処理装置の一例であるパソコンを図４４〜図４６に示す。図４４はパソコン３００のカバーを開いた状態の前方斜視図、図４５はパソコン３００の撮影光学系３０３の断面図、図４６は図４４の側面図である。図４４〜図４６に示されるように、パソコン３００は、キーボード３０１と、情報処理手段や記録手段と、モニター３０２と、撮影光学系３０３とを有している。
【０３２３】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０３２４】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０３２５】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図４４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０３２６】
次に、本発明の結像光学系が撮影光学系として内蔵された情報処理装置の一例である電話、特に持ち運びに便利な携帯電話を図４７に示す。図４７(a)は携帯電話４００の正面図、図４７(b)は側面図、図４７(c)は撮影光学系４０５の断面図である。図４７(a)〜(c)に示されるように、携帯電話４００は、マイク部４０１と、スピーカ部４０２と、入力ダイアル４０３と、モニター４０４と、撮影光学系４０５と、アンテナ４０６と、処理手段とを有している。
【０３２７】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０３２８】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０３２９】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０３３０】
以上のように、本発明の結像光学系及びそれを用いた電子撮像装置は、特許請求の範囲に記載された発明の他に、次のような特徴を備えている。
【０３３１】
（１）次の条件式を満足することを特徴とする請求項１に記載の結像光学系。
１．４８＜β＜２．０４ 
ここで、Ｎｄは接合レンズに用いられる硝材の屈折率、νｄは接合レンズに用いられる硝材のアッベ数をそれぞれ表し、Ｎｄ＝α×νｄ＋βの関係を満たす。
【０３３２】
（２）次の条件式を満足することを特徴とする請求項１に記載の結像光学系。
１．５０＜β＜２．００
ここで、Ｎｄは接合レンズに用いられる硝材の屈折率、νｄは接合レンズに用いられる硝材のアッベ数をそれぞれ表し、Ｎｄ＝α×νｄ＋βの関係を満たす。
【０３３３】
（３）次の条件式を満足することを特徴とする請求項１に記載の結像光学系。
１．６０＜Ｎｄ＜２．１０
但しＮｄは接合レンズに用いられる硝材の屈折率である。
【０３３４】
（４）次の条件式を満足することを特徴とする請求項１に記載の結像光学系。
１．６３＜Ｎｄ＜１．９５
但しＮｄは接合レンズに用いられる硝材の屈折率である。
【０３３５】
（５）次の条件式を満足することを特徴とする請求項１に記載の結像光学系。
５＜νｄ＜３０
但しνｄは接合レンズに用いられる硝材のアッベ数である。
【０３３６】
（６）次の条件式を満足することを特徴とする請求項１に記載の結像光学系。
６＜νｄ＜２５
但しνｄは接合レンズに用いられる硝材のアッベ数である。
【０３３７】
（７）前記ズームレンズが、ほぼ無限遠物点合焦時に次の条件式を満足することを特徴とする請求項１０に記載の電子撮像装置。
０．７５  ＜  ｙ07／（ｆｗ・ｔａｎω07w）  ＜  ０．９４
但し、ｙ07は前記電子撮像素子の有効撮像面内（撮像可能な面内）で中心から最も遠い点までの距離（最大像高）をｙ10としたとき、ｙ07＝０．７ｙ10として表される。また、ω07wは広角端における前記撮像面上の中心からｙ07の位置に結ぶ像点に対応する物点方向の光軸に対する角度である。
【０３３８】
（８）前記ズームレンズが、ほぼ無限遠物点合焦時に次の条件式を満足することを特徴とする請求項１０に記載の電子撮像装置。
０．８０  ＜  ｙ07／（ｆｗ・ｔａｎω07w）  ＜  ０．９２
但し、ｙ07は前記電子撮像素子の有効撮像面内（撮像可能な面内）で中心から最も遠い点までの距離（最大像高）をｙ10としたとき、ｙ07＝０．７ｙ10として表される。また、ω07wは広角端における前記撮像面上の中心からｙ07の位置に結ぶ像点に対応する物点方向の光軸に対する角度である。
【０３３９】
なお、本発明は、その趣旨を逸脱しない範囲で様々な変形例をとることができる。
【図面の簡単な説明】
【０３４０】
【図１】本発明の実施例１にかかるズームレンズの広角端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、(a)は広角端、(b)は中間、(c)は望遠端での状態を示している。
【図３】本発明の実施例２にかかるズームレンズの広角端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、(a)は広角端、(b)は中間、(c)は望遠端での状態を示している。
【図５】本発明の実施例３にかかるズームレンズの広角端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、(a)は広角端、(b)は中間、(c)は望遠端での状態を示している。
【図７】本発明の実施例４にかかるズームレンズの広角端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、(a)は広角端、(b)は中間、(c)は望遠端での状態を示している。
【図９】本発明の実施例５にかかるズームレンズの広角端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、(a)は広角端、(b)は中間、(c)は望遠端での状態を示している。
【図１１】本発明の実施例６にかかるズームレンズの広角端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、(a)は広角端、(b)は中間、(c)は望遠端での状態を示している。
【図１３】本発明の実施例７にかかるズームレンズの広角端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、(a)は広角端、(b)は中間、(c)は望遠端での状態を示している。
【図１５】本発明の実施例８にかかるズームレンズの広角端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、(a)は広角端、(b)は中間、(c)は望遠端での状態を示している。
【図１７】本発明の実施例９にかかるズームレンズの広角端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、(a)は広角端、(b)は中間、(c)は望遠端での状態を示している。
【図１９】本発明の実施例１０にかかるズームレンズの広角端における無限遠物点合焦時の光学構成を示す光軸に沿う断面図である。
【図２０】実施例１０にかかるズームレンズの無限遠物点合焦時における球面収差、非点収差、歪曲収差、倍率色収差を示す図であり、(a)は広角端、(b)は中間、(c)は望遠端での状態を示している。
【図２１】本発明の実施例１１にかかるズームレンズの広角端における無限遠物点合焦時の光学構成を示す光軸に沿う断面図である。
【図２２】実施例１１にかかるズームレンズの無限遠物点合焦時における球面収差、非点収差、歪曲収差、倍率色収差を示す図であり、(a)は広角端、(b)は中間、(c)は望遠端での状態を示している。
【図２３】本発明の実施例１２にかかるズームレンズの広角端における無限遠物点合焦時の光学構成を示す光軸に沿う断面図である。
【図２４】実施例１２にかかるズームレンズの無限遠物点合焦時における球面収差、非点収差、歪曲収差、倍率色収差を示す図であり、(a)は広角端、(b)は中間、(c)は望遠端での状態を示している。
【図２５】本発明の実施例１３にかかるズームレンズの広角端における無限遠物点合焦時の光学構成を示す光軸に沿う断面図である。
【図２６】実施例１３にかかるズームレンズの無限遠物点合焦時における球面収差、非点収差、歪曲収差、倍率色収差を示す図であり、(a)は広角端、(b)は中間、(c)は望遠端での状態を示している。
【図２７】本発明の実施例１４にかかるズームレンズの広角端における無限遠物点合焦時の光学構成を示す光軸に沿う断面図である。
【図２８】実施例１４にかかるズームレンズの無限遠物点合焦時における球面収差、非点収差、歪曲収差、倍率色収差を示す図であり、(a)は広角端、(b)は中間、(c)は望遠端での状態を示している。
【図２９】本発明の実施例１５にかかるズームレンズの広角端における無限遠物点合焦時の光学構成を示す光軸に沿う断面図である。
【図３０】実施例１５にかかるズームレンズの無限遠物点合焦時における球面収差、非点収差、歪曲収差、倍率色収差を示す図であり、(a)は広角端、(b)は中間、(c)は望遠端での状態を示している。
【図３１】本発明の実施例１６にかかるズームレンズの広角端における無限遠物点合焦時の光学構成を示す光軸に沿う断面図である。
【図３２】実施例１６にかかるズームレンズの無限遠物点合焦時における球面収差、非点収差、歪曲収差、倍率色収差を示す図であり、(a)は広角端、(b)は中間、(c)は望遠端での状態を示している。
【図３３】本発明の実施例１７にかかるズームレンズの広角端における無限遠物点合焦時の光学構成を示す光軸に沿う断面図である。
【図３４】実施例１７にかかるズームレンズの無限遠物点合焦時における球面収差、非点収差、歪曲収差、倍率色収差を示す図であり、(a)は広角端、(b)は中間、(c)は望遠端での状態を示している。
【図３５】本発明の実施例１８にかかるズームレンズの広角端における無限遠物点合焦時の光学構成を示す光軸に沿う断面図である。
【図３６】実施例１８にかかるズームレンズの無限遠物点合焦時における球面収差、非点収差、歪曲収差、倍率色収差を示す図であり、(a)は広角端、(b)は中間、(c)は望遠端での状態を示している。
【図３７】本発明の実施例１９にかかるズームレンズの広角端における無限遠物点合焦時の光学構成を示す光軸に沿う断面図である。
【図３８】実施例１９にかかるズームレンズの無限遠物点合焦時における球面収差、非点収差、歪曲収差、倍率色収差を示す図であり、(a)は広角端、(b)は中間、(c)は望遠端での状態を示している。
【図３９】本発明の実施例２０にかかるズームレンズの広角端における無限遠物点合焦時の光学構成を示す光軸に沿う断面図である。
【図４０】実施例２０にかかるズームレンズの無限遠物点合焦時における球面収差、非点収差、歪曲収差、倍率色収差を示す図であり、(a)は広角端、(b)は中間、(c)は望遠端での状態を示している。
【図４１】本発明によるズーム光学系を組み込んだデジタルカメラ４０の外観を示す前方斜視図である。
【図４２】デジタルカメラ４０の後方斜視図である。
【図４３】デジタルカメラ４０の光学構成を示す断面図である。
【図４４】本発明のズーム光学系が対物光学系として内蔵された情報処理装置の一例であるパソコン３００のカバーを開いた状態の前方斜視図である。
【図４５】パソコン３００の撮影光学系３０３の断面図である。
【図４６】パソコン３００の側面図である。
【図４７】本発明のズーム光学系が撮影光学系として内蔵された情報処理装置の一例である携帯電話を示す図であり、(a)は携帯電話４００の正面図、(b)は側面図、(c)は撮影光学系４０５の断面図である。
【図４８】各実施例の数値データにおけるｒ及びｄの番号と、光学構成（レンズ面、肉厚、空気間隔）との関係を示す図である。
【符号の説明】
【０３４１】
Ｇ１          第１レンズ群
Ｇ２          第２レンズ群
Ｇ３          第３レンズ群
Ｇ４          第４レンズ群
Ｇ５          第５レンズ群
Ｌ１１１〜Ｌ２４２        各レンズ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0004722796.tif 000002
【図２】
0004722796.tif 000003
【図３】
0004722796.tif 000004
【図４】
0004722796.tif 000005
【図５】
0004722796.tif 000006
【図６】
0004722796.tif 000007
【図７】
0004722796.tif 000008
【図８】
0004722796.tif 000009
【図９】
0004722796.tif 000010
【図１０】
0004722796.tif 000011
【図１１】
0004722796.tif 000012
【図１２】
0004722796.tif 000013
【図１３】
0004722796.tif 000014
【図１４】
0004722796.tif 000015
【図１５】
0004722796.tif 000016
【図１６】
0004722796.tif 000017
【図１７】
0004722796.tif 000018
【図１８】
0004722796.tif 000019
【図１９】
0004722796.tif 000020
【図２０】
0004722796.tif 000021
【図２１】
0004722796.tif 000022
【図２２】
0004722796.tif 000023
【図２３】
0004722796.tif 000024
【図２４】
0004722796.tif 000025
【図２５】
0004722796.tif 000026
【図２６】
0004722796.tif 000027
【図２７】
0004722796.tif 000028
【図２８】
0004722796.tif 000029
【図２９】
0004722796.tif 000030
【図３０】
0004722796.tif 000031
【図３１】
0004722796.tif 000032
【図３２】
0004722796.tif 000033
【図３３】
0004722796.tif 000034
【図３４】
0004722796.tif 000035
【図３５】
0004722796.tif 000036
【図３６】
0004722796.tif 000037
【図３７】
0004722796.tif 000038
【図３８】
0004722796.tif 000039
【図３９】
0004722796.tif 000040
【図４０】
0004722796.tif 000041
【図４１】
0004722796.tif 000042
【図４２】
0004722796.tif 000043
【図４３】
0004722796.tif 000044
【図４４】
0004722796.tif 000045
【図４５】
0004722796.tif 000046
【図４６】
0004722796.tif 000047
【図４７】
0004722796.tif 000048
【図４８】
0004722796.tif 000049